(57)【要約】【課題】穿孔パンチを収納部に収納することができるとともに、複数の綴じ孔を１度にあけることができるパンチを提供し、または、穿孔パンチを収納部に収納することができるとともに、収納部に収納した穿孔パンチを収納部から簡単に引き出すことができるパンチを提供する。【解決手段】パンチ１０は、用紙などの被穿孔体Ｐに綴じ孔をあけるための複数の穿孔パンチ１００、複数の穿孔パンチ１００それぞれを回転可能に支持することにより、複数の穿孔パンチ１００を出し入れ可能に収納するための収納部としてのハウジング２０、および複数の穿孔パンチ１００に取り付けられ、複数の穿孔パンチ１００を同時に操作するための一つのハンドル３００を有する。【選択図】図１
2016168667.tif 000002
【特許請求の範囲】
【請求項１】
用紙などの被穿孔体に綴じ孔をあけるための複数の穿孔パンチ、
前記複数の穿孔パンチそれぞれを回転可能に支持することにより、前記複数の穿孔パンチを出し入れ可能に収納するための収納部、および
前記複数の穿孔パンチに取り付けられ、前記複数の穿孔パンチを同時に操作するための一つのハンドルを有する、パンチ。
【請求項２】
前記複数の穿孔パンチは、それぞれ、前記被穿孔体に綴じ孔をあける穿孔刃と、前記穿孔刃に取り付けられるレバーとを有し、
前記ハンドルは、前記複数の穿孔パンチそれぞれを互いに接続するように、前記複数の穿孔パンチそれぞれのレバーに取り付けられた、請求項１に記載のパンチ。
【請求項３】
前記ハンドルは、前記複数の穿孔パンチに回転可能に取り付けられ、
前記複数の穿孔パンチそれぞれの前記収納部に対する第１の回転軸と、前記複数の穿孔パンチそれぞれの前記ハンドルに対する第２の回転軸とは、前記複数の穿孔パンチが前記被穿孔体に綴じ孔をあけたとき、一直線状になる、請求項１または請求項２に記載のパンチ。
【請求項４】
綴じ孔をあけるための穿孔パンチ、
前記穿孔パンチを回転可能に支持することにより、前記穿孔パンチを出し入れ可能に収納するための収納部、および
前記穿孔パンチを前記収納部から引き出す方向に付勢する付勢手段を有する、パンチ。
【請求項５】
前記穿孔パンチは、前記被穿孔体に綴じ孔をあけるための穿孔刃を有し、
前記付勢手段は、前記穿孔刃を、前記被穿孔体に綴じ孔をあけた位置から前記穿孔パンチの載置面と直交するに付勢する、請求項４に記載のパンチ。
【請求項６】
前記収納部は、前記穿孔パンチの載置面と直交する方向において、その内部に収納された前記穿孔パンチを挟持する挟持手段を有する、請求項１ないし請求項５に記載のパンチ。
【請求項７】
複数の穿孔パンチを前記収納部内に収納された状態に保持するための保持手段、および
前記保持手段によって前記複数の穿孔パンチを保持した状態を解除するための解除手段をさらに含む、請求項１ないし請求項６のいずれかに記載のパンチ。
【発明の詳細な説明】
【技術分野】
【０００１】
この発明は、パンチに関し、特に、用紙に綴じ孔をあけることができる穿孔パンチを有し、かつ、穿孔パンチを収納することができるパンチに関する。
【背景技術】
【０００２】
この発明の背景となる従来のパンチの一例が、たとえば実公平５−２１３４９号公報に開示されている（特許文献１参照）。特許文献１に開示されているパンチは、二つの穿孔パンチを収容ケースの両端部に回動自在に枢着してなるものである。このパンチでは、二つの穿孔パンチによって、用紙に二つの綴じ孔をあけることができる。また、このパンチでは、二つの穿孔パンチを収容ケース内に収納することができる。
【先行技術文献】
【特許文献】
【０００３】
【特許文献１】実公平５−２１３４９号公報
【発明の概要】
【発明が解決しようとする課題】
【０００４】
特許文献１に開示されているパンチでは、用紙に二つの綴じ孔をあける際に、二つの穿孔パンチを個々に操作しなければならないので、手間がかかって煩雑である。
また、特許文献１に開示されているパンチでは、用紙に綴じ孔をあける際に、収容ケース内に収納した穿孔パンチを収容ケースから引き出す必要があるので、手間がかかって煩雑である。
【０００５】
それゆえに、この発明の主たる目的は、穿孔パンチを収納部に収納することができるとともに、複数の綴じ孔を１度にあけることができるパンチを提供することである。
この発明の他の目的は、穿孔パンチを収納部に収納することができるとともに、収納部に収納した穿孔パンチを収納部から簡単に引き出すことができるパンチを提供することである。
【課題を解決するための手段】
【０００６】
この発明の請求項１に係るパンチは、用紙などの被穿孔体に綴じ孔をあけるための複数の穿孔パンチ、複数の穿孔パンチそれぞれを回転可能に支持することにより、複数の穿孔パンチを出し入れ可能に収納するための収納部、および複数の穿孔パンチに取り付けられ、複数の穿孔パンチを同時に操作するための一つのハンドルを有する、パンチである。
この発明の請求項２に係るパンチが備える複数の穿孔パンチは、それぞれ、被穿孔体に綴じ孔をあける穿孔刃と、穿孔刃に取り付けられるレバーとを有し、ハンドルは、複数の穿孔パンチそれぞれを互いに接続するように、複数の穿孔パンチそれぞれのレバーに取り付けられた、請求項１に記載のパンチである。
この発明の請求項３に係るパンチが備えるハンドルは、複数の穿孔パンチに回転可能に取り付けられ、複数の穿孔パンチそれぞれの収納部に対する第１の回転軸と、複数の穿孔パンチそれぞれのハンドルに対する第２の回転軸とは、複数の穿孔パンチが被穿孔体に綴じ孔をあけたとき、一直線状になる、請求項１または請求項２に記載のパンチである。
この発明の請求項４に係るパンチは、綴じ孔をあけるための穿孔パンチ、穿孔パンチを回転可能に支持することにより、穿孔パンチを出し入れ可能に収納するための収納部、および穿孔パンチを収納部から引き出す方向に付勢する付勢手段を有する、パンチである。
この発明の請求項５に係るパンチが備える穿孔パンチは、被穿孔体に綴じ孔をあけるための穿孔刃を有し、付勢手段は、穿孔刃を、被穿孔体に綴じ孔をあけた位置から穿孔パンチの載置面と直交するに付勢する、請求項４に記載のパンチである。
この発明の請求項６に係るパンチが備える収納部は、穿孔パンチの載置面と直交する方向において、その内部に収納された穿孔パンチを挟持する挟持手段を有する、請求項１ないし請求項５に記載のパンチである。
この発明の請求項７に係るパンチは、複数の穿孔パンチを収納部内に収納された状態に保持するための保持手段、および保持手段によって複数の穿孔パンチを保持した状態を解除するための解除手段をさらに含む、請求項１ないし請求項６のいずれかに記載のパンチである。
【発明の効果】
【０００７】
この発明によれば、穿孔パンチを収納部に収納することができるとともに、複数の綴じ孔を１度にあけることができるパンチが得られる。
また、この発明によれば、穿孔パンチを収納部に収納することができるとともに、収納部に収納した穿孔パンチを収納部から簡単に引き出すことができるパンチが得られる。
【０００８】
この発明の上述の目的、その他の目的、特徴および利点は、図面を参照して行う以下の発明を実施するための形態の説明から一層明らかとなろう。
【図面の簡単な説明】
【０００９】
【図１】この発明の第１の実施の形態に係るパンチを示す斜視図であり、（Ａ）が穿    孔パンチを引き出した状態の斜視図、（Ｂ）穿孔パンチを収納した状態の斜視図である。
【図２】この発明の第１の実施の形態に係るハウジングを示す図であり、（Ａ）が平面図であり、（Ｂ）が底面図である。
【図３】この発明の第１の実施の形態に係るハウジングを示す図であり、（Ａ）が正面図であり、（Ｂ）が背面図である。
【図４】（Ａ）が図３（Ａ）に示すＩＶＡ−ＩＶＡ断面図、（Ｂ）がＩＶＢ−ＩＶＢ断面図、（Ｃ）がＩＶＣ−ＩＶＣ断面図である。
【図５】（Ａ）が図３（Ａ）に示すＶＡ−ＶＡ断面図、（Ｂ）がＶＢ−ＶＢ断面図、（Ｃ）がＶＣ−ＶＣ断面図である。
【図６】この発明の第１の実施の形態に係る土台を示す図であり、（Ａ）が平面図であり、（Ｂ）が右側面図である。
【図７】図６（Ａ）に示すＶＩＩ−ＶＩＩ断面図である。
【図８】この発明の第１の実施の形態に係るレバーを示す図であり、（Ａ）が平面図であり、（Ｂ）が右側面図である。
【図９】図８（Ａ）に示すＩＸ−ＩＸ断面図である。
【図１０】この発明の第１の実施の形態に係る雄シャフトを示す図であり、（Ａ）が底面図であり、（Ｂ）が側面図である。
【図１１】この発明の第１の実施の形態に係る雌シャフトを示す図であり、（Ａ）が底面図、（Ｂ）が側面図、（Ｃ）が（Ａ）に示すＸＩＣ−ＸＩＣ断面図である。
【図１２】この発明の第１の実施の形態に係る穿孔刃を示す図であり、（Ａ）が平面図、（Ｂ）が（Ａ）に示すＸＩＩＢ矢視図、（Ｃ）がＸＩＩＣ矢視図である。
【図１３】この発明の第１の実施の形態に係るダストボックスを示す図であり、（Ａ）が平面図、（Ｂ）が右側面図である。
【図１４】図１３（Ａ）に示すＸＩＶ−ＸＩＶ断面図である。
【図１５】この発明の第１の実施の形態に係る回転軸を示す図であり、（Ａ）が底面図であり、（Ｂ）が側面図である。
【図１６】この発明の第１の実施の形態に係る留めリングを示す図であり、（Ａ）が平面図であり、（Ｂ）が側面図である。
【図１７】この発明の第１の実施の形態に係るバネ部材を示す図であり、（Ａ）が平面図であり、（Ｂ）が側面図である。
【図１８】この発明の第１の実施の形態に係るハンドルを示す図であり、（Ａ）が平面図であり、（Ｂ）が正面図であり、（Ｃ）が底面図である。
【図１９】（Ａ）が図１８（Ｂ）に示すＩＸＸＡ−ＩＸＸＡ断面図、（Ｂ）が図１８（Ｃ）に示すＩＸＸＢ−ＩＸＸＢ断面図である。
【図２０】この発明の第１の実施の形態に係るスイッチを示す図であり、（Ａ）が平面図であり、（Ｂ）が正面図であり、（Ｃ）が右側面図である。
【図２１】この発明の第１の実施の形態に係るスイッチを示す図であり、図２０（Ｂ）に示すＸＸＩ−ＸＸＩ断面の拡大図である。
【図２２】この発明の第１の実施の形態に係るパンチが備える穿孔パンチがハウジングに収納されて保持された状態を示す断面図である。
【図２３】この発明の第１の実施の形態に係るパンチが備えるハウジングに収納されて保持された穿孔パンチを解除する様子を示す断面図である。
【図２４】この発明の第１の実施の形態に係るパンチを側面視したときの断面図であり、穿孔パンチが引き出された状態で、レバーが略上方に付勢された状態の図である￥。
【図２５】この発明の第１の実施の形態に係るパンチを側面視したときの断面図であり、穿孔パンチが引き出された状態で、レバーが穿孔した位置にあるときの図である。
【図２６】この発明の第１の実施の形態に係るパンチを平面視したときの断面図であり、穿孔パンチが引き出された状態を示す図である。
【図２７】この発明の第１の実施の形態に係るパンチを平面視したときの断面図であり、穿孔パンチがハウジングに収納された状態を示す図である。
【図２８】この発明の第１の実施の形態に係るパンチを正面からみたときの図である。
【図２９】この発明の第１の実施の形態に係るパンチを正面からみたときの断面図である。
【図３０】この発明の第２の実施の形態に係るハウジングを示す図であり、（Ａ）が平面図であり、図３０（Ｂ）が底面図である。
【図３１】この発明の第２の実施の形態に係るハウジングを示す図であり、（Ａ）が図３０に示すＸＸＸＩＡ矢視図であり、（Ｂ）が図３０に示すＸＸＸＩＢ矢視図である。
【図３２】この発明の第２の実施の形態に係るハウジングを示す図であり、図３１（Ａ）に示すＸＸＸＩＩ―ＸＸＸＩＩ断面図である。
【図３３】（Ａ）は、図３１（Ａ）に示すＸＸＸＩＩＩＡ―ＸＸＸＩＩＩＡ断面図であり、（Ｂ）は、図３１（Ａ）に示すＸＸＸＩＩＩＢ―ＸＸＸＩＩＩＢ断面図である。
【図３４】この発明の第２の実施の形態に係る土台について示す図であり、（Ａ）が平面図であり、（Ｂ）が右側面図である
【図３５】この発明の第２の実施の形態に係る土台について示す図であり、図３４（Ａ）に示すＸＸＸＶ−ＸＸＸＶ断面図である。
【図３６】この発明の第２の実施の形態に係るレバーについて示す図であり、（Ａ）が平面図であり、（Ｂ）が右側面図である。
【図３７】この発明の第２の実施の形態に係るレバーについて示す図であり、図３６（Ａ）に示すＸＸＸＶＩＩ−ＸＸＸＶＩＩ断面図である。
【図３８】この発明の第２の実施の形態に係るバネ部材を示す図であり、（Ａ）が平面図であり、（Ｂ）が正面図である。
【図３９】この発明の第２の実施の形態に係るパンチ１０の穿孔態様を説明するための側面から見たときのレバー１７０が略上方に付勢された状態を示す断面図である。
【図４０】この発明の第２の実施の形態に係るパンチ１０の穿孔態様を説明するための側面から見たときのレバー１７０が略下方に押下された状態を示す断面図である。
【図４１】この発明の第２の実施の形態に係るパンチを平面視したときの断面図であり、穿孔パンチが引き出された状態を示す断面図である。
【図４２】この発明の第２の実施の形態に係るパンチを平面視したときの断面図であり、穿孔パンチがハウジングに収納された状態を示す断面図である。
【図４３】第２の実施の形態に係るパンチ１００を収納するときの土台後端突部５４２と、穿孔パンチ固定部５２６および突部摺動凹部５０２との関係を示す断面図である。
【図４４】（Ａ）がこの発明の第１の変形例に係るパンチを示す正面図であり、（Ｂ）がこの発明の第２の変形例に係るパンチを示す正面図である。
【図４５】（Ａ）がこの発明の第３の変形例に係るパンチを示す正面図であり、（Ｂ）がこの発明の第４の変形例に係るパンチを示す正面図である。
【図４６】この発明の第５の変形例に係るパンチを示す正面図である。
【図４７】この発明の第３の実施の形態に係るパンチが備えるハウジングを示す平面図である。
【図４８】この発明の第３の実施の形態に係るパンチが備えるハウジングを示す底面図である。
【図４９】この発明の第３の実施の形態に係るパンチが備えるハウジングを示す正面図である。
【図５０】この発明の第３の実施の形態に係るパンチが備えるハウジングを示す背面図である。
【図５１】この発明の第３の実施の形態に係るパンチが備えるハウジングの図４９に示すＬＩ−ＬＩ断面図である。
【図５２】この発明の第３の実施の形態に係るパンチが備えるハウジングの図４９に示すＬＩＩ−ＬＩＩ断面図である。
【図５３】この発明の第３の実施の形態に係るパンチが備えるハウジングの図４９に示すＬＩＩＩ−ＬＩＩＩ断面図である。
【図５４】この発明の第３の実施の形態に係るパンチが備えるハウジングの図５３に示すＬＩＶ部の拡大図である。
【図５５】この発明の第３の実施の形態に係るパンチが備えるハウジングの図４９に示すＬＶ−ＬＶ断面図である。
【図５６】この発明の第３の実施の形態に係るパンチが備えるハウジングの図４９に示すＬＶＩ−ＬＶＩ断面図である。
【図５７】この発明の第３の実施の形態に係るパンチが備えるハウジングの図４９に示すＬＶＩＩ−ＬＶＩＩ断面図である。
【図５８】この発明の第３の実施の形態に係るパンチが備えるハウジングの図４９に示すＬＶＩＩＩ−ＬＶＩＩＩ断面図である。
【図５９】この発明の第３の実施の形態に係るパンチが備えるハウジングの図４９に示すＬＩＸ−ＬＩＸ断面図である。
【図６０】この発明の第３の実施の形態に係るパンチが備える穿孔パンチの土台を示す平面図である。
【図６１】この発明の第３の実施の形態に係るパンチが備える穿孔パンチの土台を示す側面図である。
【図６２】この発明の第３の実施の形態に係るパンチが備える穿孔パンチの土台の図６０に示すＬＸＩＩ−ＬＸＩＩ断面図である。
【図６３】この発明の第３の実施の形態に係るパンチが備える穿孔パンチのレバーを示す平面図である。
【図６４】この発明の第３の実施の形態に係るパンチが備える穿孔パンチのレバーを示す側面図である。
【図６５】この発明の第３の実施の形態に係るパンチが備える穿孔パンチのレバーを示す底面図である。
【図６６】この発明の第３の実施の形態に係るパンチが備える穿孔パンチのレバーの図６３に示すＬＸＶＩ−ＬＸＶＩ断面図である。
【図６７】この発明の第３の実施の形態に係るパンチが備える穿孔パンチのレバーの図６４に示すＬＸＶＩＩ−ＬＸＶＩＩ断面図である。
【図６８】この発明の第３の実施の形態に係るパンチが備えるハンドルを示す平面図である。
【図６９】この発明の第３の実施の形態に係るパンチが備えるハンドルを示す正面図である。
【図７０】この発明の第３の実施の形態に係るパンチが備えるハンドルを示す底面図である。
【図７１】この発明の第３の実施の形態に係るパンチが備えるハンドルを示す図６９のＬＸＸＩ−ＬＸＸＩ断面図である。
【図７２】この発明の第３の実施の形態に係るパンチが備えるハンドルを示す図７０のＬＸＸＩＩ−ＬＸＸＩＩ断面図である。
【図７３】この発明の第３の実施の形態に係るパンチが備えるスイッチを示す平面図である。
【図７４】この発明の第３の実施の形態に係るパンチが備えるスイッチを示す正面図である。
【図７５】この発明の第３の実施の形態に係るパンチが備えるスイッチを示す側面図である。
【図７６】この発明の第３の実施の形態に係るパンチが備えるスイッチを示す図７４のＬＸＸＶＩ−ＬＸＸＶＩ断面図である。
【図７７】この発明の第３の実施の形態に係るパンチが備えるダストボックスを示す平面図である。
【図７８】この発明の第３の実施の形態に係るパンチが備えるダストボックスを示す側面図である。
【図７９】この発明の第３の実施の形態に係るパンチが備えるダストボックスを示す図７７のＬＸＸＩＸ−ＬＸＸＩＸ断面図である。
【図８０】この発明の第３の実施の形態に係るパンチが備えるバネ部材の平面図である。
【図８１】この発明の第３の実施の形態に係るパンチが備えるバネ部材の正面図である。
【図８２】この発明の第３の実施の形態に係るパンチの穿孔パンチがハウジングに収納された状態を示す正面図である。
【図８３】この発明の第３の実施の形態に係るパンチの穿孔パンチがハウジングに収納された状態を示す背面図である。
【図８４】この発明の第３の実施の形態に係るパンチの穿孔パンチがハウジングに収納された状態における左右方向に沿った断面図である。
【図８５】この発明の第３の実施の形態に係るパンチの穿孔パンチがハウジングから引き出された状態における左右方向に沿った断面図である。
【図８６】この発明の第３の実施の形態に係るパンチの上下方向に沿った断面図であり、バネ部材および回転軸のハウジングへの取り付け態様を示す図である。
【図８７】この発明の第３の実施の形態に係るパンチが備える穿孔パンチがハウジングに収納されて保持された状態を示す断面図である。
【図８８】この発明の第３の実施の形態に係るパンチが備えるハウジングに収納されて保持された穿孔パンチを解除する様子を示す断面図である。
【発明を実施するための形態】
【００１０】
＜第１の実施の形態について＞
以下、この発明の第１の実施の形態に係るパンチについて、図面を参照しながら説明する。図１は、この発明の第１の実施の形態に係るパンチを示す斜視図であり、図１（Ａ）がハウジングから穿孔パンチを引き出した状態を示す図であり、図１（Ｂ）がハウジングに穿孔パンチを収納した状態を示す図である。この実施の形態に係るパンチ１０は、収納部としてのハウジング２０と、用紙などの被穿孔体Ｐを穿孔するための穿孔パンチ１００を構成する二つの穿孔パンチ（（一方の）第１の穿孔パンチ１００Ｌ及び（他方の）第２の穿孔パンチ１００Ｒ）と、二つの（一方の）第１の穿孔パンチ１００Ｌ及び（他方の）第２の穿孔パンチ１００Ｒを互いに接続するように固定されたハンドル３００とを備える。なお、以下の説明および特許請求の範囲では、方向の表記について、二つの（一方の）第１の穿孔パンチ１００Ｌ及び（他方の）第２の穿孔パンチ１００Ｒがハウジング２０の収納空間２２から引き出された状態で、穿孔パンチ１００が引き出された側からパンチ１０を見たときを正面とする。そして、左右方向とは、二つの（一方の）第１の穿孔パンチ１００Ｌ及び（他方の）第２の穿孔パンチ１００Ｒを互いに結ぶ方向のことである。前後方向とは、ハウジング２０から引き出された状態の（一方の）第１の穿孔パンチ１００Ｌ及び（他方の）第２の穿孔パンチ１００Ｒが延在する方向のことであり、パンチ１０の先端側が手前側であり、ハウジング２０側が向こう側である。上下方向とは、左右方向と前後方向の交わる平面（すなわち、パンチ１０の載置面）と直交する方向のことである。
【００１１】
＜第１の実施の形態に係るハウジング２０について＞
図２〜５は、この発明の第１の実施の形態に係るハウジングについて示す図である。図２（Ａ）が平面図であり、図２（Ｂ）が底面図である。また、図３（Ａ）が図２に示すＩＩＩＡ矢視図（すなわち、正面図）であり、図３（Ｂ）が図２に示すＩＩＩＢ矢視図（すなわち、背面図）である。また、図４（Ａ）が図３（Ａ）に示すＩＶＡ―ＩＶＡ断面図であり、図４（Ｂ）がＩＶＢ―ＩＶＢ断面図であり、図４（Ｃ）がＩＶＣ―ＩＶＣ断面図である。また、図５（Ａ）が図３（Ａ）に示すＶＡ―ＶＡ断面図であり、図５（Ｂ）がＶＢ―ＶＢ断面図であり、図５（Ｃ）がＶＣ―ＶＣ断面図である。
【００１２】
第１の実施の形態に係るハウジング２０は、ＡＢＳ樹脂などの合成樹脂により形成されることが好ましい。ハウジング２０は、左側に配設される第１の穿孔パンチ１００Ｌおよび右側に配設される第２の穿孔パンチ１００Ｒそれぞれを出し入れ可能に収納するためのものである。ハウジング２０は、底板３０と、底板３０の左端辺から立ち上がる側板５０Ｌと、底板３０の右端辺から立ち上がる側板５０Ｒと、底板３０の後端辺から立ち上がる背板６０と、挟持部としての天板８０とを有する。すなわち、ハウジング２０は、その前方が開放された箱型の形状を有する。
【００１３】
＜底板３０について＞
ハウジング２０の底板３０は、平面視略長方形状であり、左側の側板５０Ｌの近傍に形成される回転軸取付け孔３２Ｌと、右側の側板５０Ｒの近傍に形成される回転軸取付け孔３２Ｒと、略中央に形成される保持部３４とを有する。（一方の）左側の回転軸取付け孔３２Ｌ及び（他方の）右側の回転軸取付け孔３２Ｒは、それぞれが同様の形状であり、互いに左右対称の位置に形成される。（一方の）左側の回転軸取付け孔３２Ｌ及び（他方の）右側の回転軸取付け孔３２Ｒは、それぞれに、（一方の）左側の回転軸４００Ｌ及び（他方の）右側の回転軸４００Ｒそれぞれが上方向にのびるように取り付けられる。左側の回転軸取付け孔３２Ｌに取り付けられる回転軸４００Ｌは、第１の穿孔パンチ１００Ｌをハウジング２０に対して回転可能に支持するためのものである。また、右側の回転軸取付け孔３２Ｒに取り付けられる回転軸４００Ｒは、第２の穿孔パンチ１００Ｒをハウジング２０に対して回転可能に支持するためのものである。
【００１４】
保持部３４は、左側に配設される第１の穿孔パンチ１００Ｌおよび右側に配設される第２の穿孔パンチ１００Ｒそれぞれに形成された後述する被保持部２３０とともに、第１の穿孔パンチ１００Ｌおよび第２の穿孔パンチ１００Ｒそれぞれをハウジング２０内に収納した状態に保持するための保持手段として作用する。保持部３４は、底板３０の前端辺の近傍を根元として、後端辺に向かって舌状にのびる舌状部３６を有する。舌状部３６は、底板３０の後端辺を抉るように形成された矩形状の切欠部４０に形成される。すなわち、舌状部３６は、その根元である前端辺が、切欠部４０の前端辺と一体的に形成される。また、舌状部３６は、その左端辺が、切欠部４０の左端辺に沿ってのび、且つその右端辺が、切欠部４０の右端辺に沿ってのびる。また、舌状部３６は、その後端辺が、切欠部４０の後端辺（すなわち、底板３０の後端辺と同一直線上の端辺）に沿ってのびる。なお、舌状部３６の後端辺と切欠部４０の後端辺とは、前後方向に所定の距離だけ離れて形成される。すなわち、切欠部４０は、その後方部に形成され、前後方向に所定の寸法を有して左右方向にのびる矩形貫通孔４２と、矩形貫通孔４２の前端辺の左端から前方に向かってのびる左側のスリット部４４Ｌと、前端辺の右端から前方にのびる左側のスリット部４４Ｌとを有する。
【００１５】
舌状部３６は、その厚み（すなわち、上下方向の寸法）が、ハウジング２０の底板３０よりも小さく形成される。舌状部３６は、その前端辺３６ｃから後方にのびる前方部と、当該前方部の後端辺から斜め下方向にのびる中間部と、当該中間部の後端辺から後方向にのびる後方部とを有する。すなわち、舌状部３６は、その前方部が、後方部よりも上方に形成される。舌状部３６は、その前方部の上面が、上下方向において、ハウジング２０の底板３０の上面と同じ位置に形成される。舌状部３６は、その中間部の上面に、（一方の）第１の穿孔パンチ１００Ｌ及び（他方の）第２の穿孔パンチ１００Ｒに形成された被仮固定部２３０被保持部２３０それぞれに係合するための（一方の）左側の突部３８Ｌ及び（他方の）右側の突部３８Ｒが突設される。（一方の）左側の突部３８Ｌ及び（他方の）右側の突部３８Ｒそれぞれは同様の形状であり、互いに左右対称の位置に形成される。したがって、ここでは左側の突部３８Ｌのみについて説明し、右側の突部３８Ｒの同様となる説明は繰り返さない。突部３８Ｌは、舌状部３６の上面における左端辺の近傍に突設される。突部３８Ｌは、平面視矩形状である。また、側面視すると、その前端辺３８ｃに鋭角を有し、且つ後端辺３８ｄが載置面と直交した方向にのびる略直角三角形である。
【００１６】
＜側板５０Ｌおよび側板５０Ｒについて＞
ハウジング２０は、底板３０の左右端より立設された側板５０を有しており、側板５０は、底板３０と同じ幅で上方にのびる略長方形状である。側板５０は、底板３０と同じ幅で上方にのびる略長方形状である。側板５０は、穿孔パンチ１００を収納するために一定の間隔をおいて左右に分かれた、左側の側板５０Ｌと右側の側板５０Ｒとを備える。左側の側板５０Ｌと、右側の側板５０Ｒとは、ハウジング２０の略中央に形成された仕切り板２４に関して互いに面対称であり、同様の形状を有する。したがって、ここでは左側の側板５０Ｌについてのみ説明し、右側の側板５０Ｒについては同様となる説明は繰り返さない。側板５０Ｌは、内壁５０ｓに、その上下方向の略中央に平板状の台座５２Ｌがハウジング２０の内方に向けて一体的に突設される。台座５２Ｌは、その主面がハウジング２０の載置面と平行になるように形成される。具体的には、台座５２Ｌは、その左側面が側板５０Ｌの内壁５０ｓと一体的に形成され、且つその後側面が後述する背板６０の内壁と一体的に形成される。また、台座５２Ｌは、その前端辺が、平面視したとき、底板３０の前端辺と、回転軸取付け孔３２Ｌとの間を左右方向にのびるように配設される。また、台座５２Ｌは、その右端辺が、平面視したとき、回転軸取付け孔３２Ｌの右側を前後方向にのびるように配設される。そして、台座５２Ｌの前端辺および右端辺で形成される角部の近傍には、上下方向にのびる回転軸４００Ｌが通り抜けるための回転軸取付け孔５４Ｌが形成される。台座５２Ｌの回転軸取付け孔５４Ｌは、平面視したとき、底板３０に形成された回転軸取付け孔３２Ｌと重なる位置に形成される。すなわち、底板３０に形成された回転軸取付け孔３２Ｌと、台座５２Ｌに形成された回転軸取付け孔５４Ｌとが上下方向に連なった状態になる。また、台座５２Ｌの上面には、後述する付勢手段としてのバネ部材４１０Ｌが載置される。
【００１７】
＜背板６０について＞
ハウジング２０は、底板３０より立設され、側板５０の側板５０Ｌと側板５０Ｒとの間に架け渡された背板６０を有している。背板６０は、底板３０と同じ幅で側板５０と同じ高さ（すなわち、上下方向の寸法）を有する略々長方形状である。ハウジング２０の背板６０は、内壁に、上述したように、その左端辺における上下方向の略中央から、平面視したとき、回転軸取付け孔３２Ｌの右側まで左右方向にのびる台座５２Ｌの後側面が一体的に形成される。また、背板６０の内壁における台座５２Ｌの右側には、後述するバネ部材４１０Ｌの下方延在部４１４Ｌを位置決めするための位置決め部６２Ｌが突設される。位置決め部６２Ｌは、台座５２Ｌの右側面の上端から右方向にのびる下方位置決め部６４Ｌと、下方位置決め部６４Ｌの上方に下方位置決め部６４Ｌに沿って右方向にのびる上方位置決め部６６Ｌとからなる。下方位置決め部６４Ｌの上面と、台座５２Ｌの上面とは、上下方向において、同じ位置になるように形成される。すなわち、後述するバネ部材４１０Ｌの下方延在部４１４Ｌは、下方位置決め部６４Ｌと上方位置決め部６６Ｌとの間に配設されることによって位置決めされる。また、ハウジング２０の背板６０の内壁には、その右端辺６０Ｒの近傍にも、前記した左側の台座５２Ｌおよび位置決め部６２Ｌと同様の構造を有する台座５２Ｒ、位置決め部６２Ｒが突設される。台座５２Ｌと台座５２Ｒとは、ハウジング２０の略中央に形成された仕切り板２４に関して互いに面対称である。また、位置決め部６２Ｌと位置決め部６２Ｒについても、ハウジング２０の略中央に形成された仕切り板２４に関して互いに面対称である。したがって、ここでは同様となるため、台座５２Ｒおよび位置決め部６２Ｒの説明を繰り返さない。
【００１８】
背板６０の略中央には、後述するスイッチ２４０を取り付けるためのスイッチ取付け部７０が上下方向にのびて形成される。スイッチ取付け部７０の左右方向の寸法は、上述した底板３０に形成される切欠部４０のそれとほぼ等しい。スイッチ取付け部７０は、背板６０の上端辺から下端辺にわたって矩形状にのびるように形成される。スイッチ取付け部７０は、背板６０の上端辺から下端辺の近傍の位置まで上下方向にのびるスイッチ胴体取付け部７２と、スイッチ胴体取付け部７２の下端辺から底板３０までを切欠いて形成されたスイッチ下端取付け部７４とを有する。スイッチ胴体取付け部７２は、正面から見たとき、略Ｉ字形状である。すなわち、スイッチ胴体取付け部７２は、その左端辺における上端および下端を除いた部分が上下方向にのびて矩形状に切り欠かれ、且つその右端辺も同様に上端および下端を除いた部分が上下方向にのびて矩形状に切り欠かれた形状である。
【００１９】
スイッチ胴体取付け部７２は、その左端辺の切り欠かれた部分の対応した位置に、上下方向にのびる矩形状のスリット７８Ｌが形成される。また、スイッチ胴体取付け部７２は、その右端辺の切り欠かれた部分の対応した位置に、上下方向にのびる矩形状のスリット７８Ｒが形成される。左側のスリット７８Ｌと、右側のスリット７８Ｒとは、互いに同じ形状を有し、左右対称の位置に形成される。スイッチ胴体取付け部７２の厚み（すなわち、前後方向の寸法）は、背板６０の厚みとほぼ等しい。なお、スイッチ胴体取付け部７２の前面は、背板６０の内壁よりもやや前方にのり出して、上下方向にのびて形成される。そして、スイッチ取付け部７０の背面は、背板６０の外壁よりもやや前方にのり出し、且つ背板６０の内壁よりもやや後方に位置するように、上下方向にのびて形成される。スイッチ胴体取付け部７２の左端辺および右端辺それぞれの上端および下端は、背板６０の内壁と一体的に形成される。また、スイッチ胴体取付け部７２の上端辺は、天板８０の内壁と一体的に形成される。
【００２０】
スイッチ胴体取付け部７２の前面の左右方向における略中央には、ハウジング２０に形成された収納空間２２を二分割するための仕切り板２４が配設される。この仕切り板２４により仕切られた左側の収納空間２２Ｌに第１の穿孔パンチ１００Ｌが収納され、右側の収納空間２２Ｒに第２の穿孔パンチ１００Ｒが収納される。仕切り板２４は、その後方に位置する側面がスイッチ胴体取付け部７２の前面と一体的に形成される。また、仕切り板２４は、その前方に位置する側面が、平面視したとき、底板３０の前端辺と同一直線状になるように形成される。仕切り板２４の下方部には、その後端辺から前端辺の近傍までを切欠くように形成された略矩形状の切欠部２８が形成される。この切欠部２８の上端辺は、上下方向において、スイッチ下端取付け部７４の上端辺とほぼ同じ位置になるように形成される。仕切り板２４の下方部の切り欠かれていない前方部の下端辺は、底板３０の内壁と一体的に形成される。
【００２１】
＜天板８０について＞
ハウジング２０は、背板６０の上端より向こう側に向けて突設され、側板５０の側板５０Ｌと側板５０Ｒとの間に架け渡された天板８０を有している。天板８０は、側板５０と同じ幅で、背板６０と同じ長さを有する略々長方形状である。天板８０は、その左端辺の近傍に、前端辺から後方に向けて抉るように形成された切欠部８８Ｌと、切欠部８８Ｌと同様の形状を有し、切欠部８８Ｌと左右対称の位置に形成された切欠部８８Ｒとを有する。切欠部８８Ｌと切欠部８８Ｒとは、穿孔パンチ１００の第１の穿孔パンチ１００Ｌと第２の穿孔パンチ１００Ｒとの間隔に対応した間隔をおいて、天板８０の前端辺より内側に向けて切り欠けた平面視略円弧状の空間を形成する。なお、ここでは左側の切欠部８８Ｌについてのみ説明し、右側の切欠部８８Ｒについての同様となる説明は繰り返さない。
【００２２】
切欠部８８Ｌは、天板８０の前端辺から後方にのびる矩形状の部分と、矩形状の部分の後方端に形成された半円状の部分とからなる。切欠部８８Ｌの半円状の部分は、その中心が、平面視したとき、上述した底板３０に形成された回転軸取付け孔３２Ｌ、および上述した台座５２Ｌに形成された回転軸取付け孔５４Ｌと同じ位置に位置するように形成される。すなわち、底板３０の回転軸取付け孔３２Ｌと、台座５２Ｌの回転軸取付け孔５４Ｌと、天板８０の切欠部８８Ｌ（の半円状の部分）とが上下方向に連なった態様となる。天板８０の切欠部８８Ｌの右端辺と、天板８０の前端辺とで形成される角部には、棒状の突部８２Ｌが突設される。天板８０の切欠部８８Ｒの左端辺と、天板８０の前端辺とで形成される角部にも、同様の突部８２Ｒが突設される。
【００２３】
＜第１の実施の形態に係る穿孔パンチ１００について＞
第１の実施の形態に係る穿孔パンチ１００は、一度に二つの綴じ孔を穿孔するために、二つの綴じ孔の間隔に対応した間隔をおいて、ハウジング２０に取り付けられた、左側の第１の穿孔パンチ１００Ｌと右側の第２の穿孔パンチ１００Ｒとを有している。穿孔パンチ１００は、穿孔用孔１１８を有する土台１１０、土台に対して変位可能に設けられたレバー１７０、レバーに取り付けられた穿孔刃４５０、および穿孔刃が土台１１０の穿孔用孔１１８から離れるようにレバー１７０を付勢するためのバネ部材４１０を有し、土台１１０およびレバー１７０が、ハウジング２０の収納空間２２に対して回転可能に支持される。穿孔パンチ１００は、ハウジング２０の収納空間２２から引き出し、穿孔パンチ１００の土台１１０のダイと穿孔刃４５０との間に被穿孔体Ｐを配置し、バネ部材４１０の弾圧力に抗してレバー１７０を押すと穿孔刃４５０が被穿孔体Ｐを貫通して土台１１０の穿孔用孔１１８に入れることによって、被穿孔体Ｐを穿孔をする。穿孔パンチ１００は、ハウジング２０の収納空間２２内に収納されたり収納空間２２から引き出されたりするように、収納空間２２に対して、回転軸４００を中心に回転可能に支持されている。
【００２４】
左側に配設される第１の穿孔パンチ１００Ｌ及び右側に配設される第２の穿孔パンチ１００Ｒそれぞれは、互いに同様の形状を有し、ハウジング２０の左右対称の位置に取り付けられる。したがって、以下の説明では、特に必要な場合を除いて、
（一方の）第１の穿孔パンチ１００Ｌ及び（他方の）第２の穿孔パンチ１００Ｒをまとめて穿孔パンチ１００として説明する。
【００２５】
穿孔パンチ１００は、前後方向にのび、用紙などの被穿孔体Ｐが載置される土台１１０と、前後方向にのび、略上下方向に移動可能な穿孔刃４５０を上下動させるためのレバー１７０と、レバー１７０が穿孔を行うときの動作の支点となる支点シャフト４２０Ｆと、穿孔刃４５０を支持するための穿孔刃支持シャフト４２０Ｓと、穿孔刃支持シャフト４２０Ｓに支持され、上下方向に移動可能な穿孔刃４５０と、前後方向にのび、用紙などの被穿孔体Ｐを穿孔する際に生じる紙屑などを収納するためのダストボックス２１０と、レバー４０を略上方に付勢し、かつ穿孔パンチ１００をハウジング２０の収納空間２２の外側に向けて付勢する付勢手段としてのバネ部材４１０とを有する。
【００２６】
＜第１の実施の形態に係る土台１１０について＞
図６および図７は、この発明の第１の実施の形態に係る土台について示す図である。図６（Ａ）が平面図であり、図６（Ｂ）が右側面図である。また、図７は、図６（Ａ）に示すＶＩＩ−ＶＩＩ断面図である。第１の実施の形態に係る土台１１０は、その上面に被穿孔体Ｐが載置されるベース部１１２と、レバー１７０が取り付けられるレバー取付け部１３０と、ベース部１１２とレバー取付け部１３０とを一体的に接続し、且つ回転軸４００が取り付けられる回転軸取付け部１６０とを有する。
【００２７】
土台１１０は、全体的形状が、ハウジング２０の収納空間２２の中に収納されたときに、ハウジング２０の収納空間２２より外に食み出されないように構成されている。土台１１０にレバー１７０が取り付けられたときの幅及び高さは、ハウジング２０の収納空間２２の幅及び高さと同じかそれよりも小さい長さに形成されている。土台１１０は、ベース部１１２とレバー取付け部１３０と回転軸取付け部１６０とを合成樹脂で一体形成されている。
【００２８】
＜ベース部１１２について＞
ベース部１１２は、前後方向にのび、その上面に被穿孔体Ｐが載置される平板状のベース天部１１４と、ベース天部１１４の左端辺から下方向にのびる板状ベース側部１２４Ｌと、ベース天部１１４の右端辺から下方向にのびるベース側部１２４Ｒとを有する。
ベース天部１１４は、その上面が平面状に被穿孔材Ｐを水平に載置できるように平面状形成されている。ベース側部１２４Ｌとベース側部１２４Ｒとは、左右対称で、上下方向の高さが同一で、同一の高さで穿孔時に接地するように形成されている。
また、回転軸取付け部１６０が、ベース部１１２の後方をカバーするように一体的に形成される。すなわち、土台１１０のベース部１１２は、正面から見たとき、前方および下方の開放された略逆Ｕ字形状である。
【００２９】
ベース天部１１４の内壁の前端辺の近傍には、ダストボックス２１０を嵌合する際に雄部材となる嵌合雄板１１６が左右方向にのびるように突設される。また、ベース天部１１４の略中央には、平面視略円形状の穿孔用孔１１８が形成される。この穿孔用孔１１８は、穿孔刃４５０が被穿孔体Ｐに穿孔する際にその内部に挿入され、且つ穿孔する際に生じる紙屑などをベース天部１１４の上面からダストボックス２１０に落下させるために形成される。
【００３０】
左側のベース側板１２４Ｌと、右側のベース側板１２４Ｒとは、互いに鏡映されたような形状を有し、左右対称の位置に形成される。したがって、ここではベース側板１２４Ｌについてのみ説明し、ベース側板１２４Ｒの同様となる説明は繰り返さない。ベース側板１２４Ｌの内壁における下端辺の前方端には、前後方向にのびる略直方体形状の嵌合凹部１２６Ｌが形成される。嵌合凹部１２６Ｌの左側に位置する側壁は、上端からやや右斜め下方向にのびる。すなわち、嵌合凹部１２６Ｌは、下方から上方に向かって徐々に左右方向の寸法が大きくなるように形成される。
【００３１】
＜レバー取付け部１３０について＞
レバー取付け部１３０は、ベース部１１２の上方においてベース部１１２の一部を覆うように形成され、その底面が、ベース天部１１４の上面と対向するように形成される。レバー取付け部１３０の底面と、ベース天部１１４の上面とは、上下方向に所定の距離だけ離れて平行に対向する。すなわち、レバー取付け部１３０の底面と、ベース天部１１４の上面との間には前後方向にのびる間隙が形成される。
この間隙は、被穿孔材Ｐを穿孔するための被穿孔材Ｐを穿孔する穿孔体差し込み間隙を構成している。
レバー取付け部１３０は、ベース部１１２のベース天部１１４の前端縁より後方に位置しており、ベース部１１２のベース天部１１４はレバー取付け部１３０の前端縁より手前側が解放されている。
被穿孔体Ｐは、この穿孔体差し込み間隙に挿し込まれるようにして、ベース天部１１４の上面に載置される。レバー取付け部１３０は、その左右方向の寸法（すなわち、幅方向の寸法）が、上述したベース部１１２のそれよりも小さく形成される。そして、レバー取付け部１３０は、平面視したとき、ベース部１１２の左右方向における中央を前後方向にのびるように形成される。レバー取付け部１３０は、その前面が、ベース部１１２の前面よりも後方に位置するように形成される。レバー取付け部１３０は、前方から順に、前後方向摺動受け部１３２と、上下方向摺動受け部１４２と、根元接続部１５２とを有する。前後方向摺動受け部１３２、上下方向摺動受け部１４２および根元接続部１５２は、一体的に形成される。
【００３２】
＜前後方向摺動受け部１３２について＞
レバー取付け部１３０の前後方向摺動受け部１３２は、前後方向摺動受け底板１３４と、前後方向摺動受け底板１３４の左端辺から立ち上がる前後方向摺動受け側板１３６Ｌと、前後方向摺動受け底板１３４の右端辺から立ち上がる前後方向摺動受け側板１３６Ｒと、前後方向摺動受け底板１３４の後端辺から立ち上がる前後方向摺動受け背板とを有する。すなわち、前後方向摺動受け部１３２は、その前方および上方の開放された略箱型の形状を有し、正面から見ると、略Ｕ字形状である。なお、前後方向摺動受け背板は、上下方向摺動受け前板１４４でもある。
【００３３】
前後方向摺動受け底板１３４の前面は、その上端辺がその下端辺よりも前方に位置するように形成される。こうすることにより、レバー取付け部１３０の底面と、ベース天部１１４の上面との間に、被穿孔材Ｐを穿孔するために被穿孔材Ｐを挿入する穿孔体差し込み間隙が形成され、その間隙は、前端辺（すなわち、被穿孔体Ｐの差し込み口）が上下方向に広がった態様となるため、被穿孔体Ｐを間隙に差し込みやすくなる。また、前後方向摺動受け底板１３４は、その底面の前方端辺に略三角柱形状の突部１３５が形成される。突部１３５は、左右方向にのびるように形成される。この突部１３５により、ベース天部１１４の上面に載置された被穿孔体Ｐの動きを抑制することができる。
【００３４】
前後方向摺動受け側板１３６Ｌおよび前後方向摺動受け側板１３６Ｒは、互いに同様の形状を有するため、ここでは、前後方向摺動受け側板１３６Ｌおよび前後方向摺動受け側板１３６Ｒを前後方向摺動受け側板１３６として説明する。前後方向摺動受け側板１３６は、その前面を後方に向けて抉るように形成された前後方向摺動切欠き１３８が形成される。前後方向摺動切欠き１３８は、前後方向摺動受け側板１３６の前面から後方に向かって矩形状にのび、その後端が略円弧状に形成される。この前後方向摺動切欠き１３８の内部を、後述する支点シャフト４２０Ｆが前後方向に摺動する。
【００３５】
＜上下方向摺動受け部１４２について＞
レバー取付け部１３０の上下方向摺動受け部１４２は、上下方向摺動受け前板１４４と、上下方向摺動受け背板１４６と、左側の上下方向摺動受け側板１４８Ｌと、右側の上下方向摺動受け側板１４８Ｒとを有する。すなわち、上下方向摺動受け部１４２は、上下方向に貫通した孔を有する略円筒状に形成される。この上下方向に貫通した孔を穿孔刃移動空間１５０とする。この穿孔刃移動空間１５０の内部を穿孔刃４５０が上下方向に移動する。穿孔刃移動空間１５０は、上述したベース天部１１４の上面に形成される穿孔用孔１１８の真上に形成される。
【００３６】
上下方向摺動受け側板１４８Ｌおよび上下方向摺動受け側板１４８Ｒは同様の形状を有するため、ここでは上下方向摺動受け側板１４８Ｌおよび上下方向摺動受け側板１４８Ｒを上下方向摺動受け側板１４８として説明する。上下方向摺動受け側板１４８には、上下方向にのびる上下方向摺動切欠き１４９が形成される。上下方向摺動切欠き１４９は、略矩形状である。上下方向摺動切欠き１４９は、その上端および下端が略円弧状に形成される。上下方向摺動切欠き１４９の内部を、後述する穿孔刃支持シャフト４２０Ｓが上下方向に摺動する。穿孔刃支持シャフト４２０Ｓには、穿孔刃４５０が取り付けられる。すなわち、穿孔刃支持シャフト４２０Ｓが上下方向摺動切欠き１４９の内部を上下方向に摺動することにより、穿孔刃４５０が穿孔刃移動空間１５０の内部を上下方向に移動する。
【００３７】
＜根元接続部１５２について＞
レバー取付け部１３０の根元接続部１５２は、根元接続底板１５４と、根元接続底板１５４の左端辺から立ち上がる根元接続側板１５６Ｌと、根元接続底板１５４の右端辺から立ち上がる根元接続側板１５６Ｒと、根元接続底板１５４の前端辺から立ち上がる根元接続前板とを有する。すなわち、根元接続部１５２は、その後方および上方の開放された略箱型の形状を有し、背面から見ると、略Ｕ字形状である。なお、根元接続部１５２の根元接続前板は、上下方向摺動受け部１４２の上下方向摺動受け背板１４６でもある。根元接続底板１５４は、その後端部が、回転軸取付け部１６０の上面の前端部と一体的に形成される。
【００３８】
根元接続側板１５６Ｌおよび根元接続側板１５６Ｒは同様の形状を有するため、ここでは根元接続側板１５６Ｌおよび根元接続側板１５６Ｒを根元接続側板１５６として説明する。根元接続側板１５６は、その上下方向の寸法が前方から後方に向かって徐々に小さくなるように形成される。すなわち、根元接続側板１５６は、側面の側から見ると、前方から後方に向かって斜め下にのびるように形成される。根元接続側板１５６は、その後端部が、回転軸取付け部１６０の上面の前端部と一体的に形成される。
【００３９】
なお、前後方向摺動受け側板１３６と、上下方向摺動受け側板１４８と、根元接続側板１５６とは、一枚板であり、一体的に形成されている。すなわち、前後方向摺動受け側板１３６と、上下方向摺動受け側板１４８と、根元接続側板１５６とが、レバー取付け部１３０の側板である。
【００４０】
＜回転軸取付け部１６０について＞
回転軸取付け部１６０は、ベース部１１２の後方にのびるようにベース部１１２と連続して形成されており、略直方体の形状を有する。回転軸取付け部１６０は、ベース部１１２のベース側部１２４Ｌ及びベース側部１２４Ｒに続く側部を備え、その側部は、ベース側部１２４Ｌ及びベース側部１２４Ｒの下端縁に連側する下端縁を備える。回転軸取付け部１６０の底面には、その前端辺から後端辺の近傍まで前後方向にのびる凹部１６２が形成される。凹部１６２の上壁には、その前方部の左右方向の両端辺それぞれに、上下方向にのびる平面視略矩形状の（一方の）左側の矩形穴１６４Ｌ及び（他方の）右側の矩形穴１６４Ｒが形成される。また、凹部１６２の上壁には、（一方の）左側の矩形穴１６４Ｌ及び（他方の）右側の矩形穴１６４Ｒの後方に、回転軸取付け部１６０の上面まで貫通する平面視略円形状の回転軸取付け孔１６６が形成される。この回転軸取付け孔１６６に、回転軸４００が通される。回転軸取付け部１６０の前面の上方部分に、上述したベース部１１２の後端部およびレバー取付け部１３０の後端部が一体的にされる。
【００４１】
＜第１の実施の形態に係るレバー１７０について＞
図８および図９は、この発明の第１の実施の形態に係るレバーについて示す図である。図８（Ａ）が平面図であり、図８（Ｂ）が右側面図である。また、図９は、図８（Ａ）に示すＩＸ−ＩＸ断面図である。第１の実施の形態に係るレバー１７０は、レバー天板１７２と、レバー天板１７２の左端辺から垂れ下がるレバー側板１８２Ｌと、レバー天板１７２の右端辺から垂れ下がるレバー側板１８２Ｒと、レバー天板の前端辺から垂れ下がるレバー前板１８８と、レバー天板１７２の後端辺から垂れ下がり、平面視略円弧状のレバー背板１９２とを有する。すなわち、レバー１７０は、その下方が開放された略箱型の形状を有する。レバー天板１７２は、その後方端に円筒状のハンドル取付け部１７４が突設される。このハンドル取付け部１７４のハンドル取付け軸孔１７８に、後述するハンドル３００に形成されるハンドル突部３９２が嵌合される。
【００４２】
レバー側板１８２Ｌおよびレバー側板１８２Ｒは、互いに鏡映されたような同様の形状を有するため、ここではレバー側板１８２Ｌについてのみ説明し、レバー側板１８２Ｒの同様となる説明は繰り返さない。レバー側板１８２Ｌは、前端辺から前後方向の略中央辺りまでの前方部の上下方向の寸法が、後方部の上下方向の寸法よりも大きく形成される。レバー側板１８２Ｌの前方部には、二つのシャフト取付け孔１８４が前後方向に所定の距離だけ離れて形成される。前方のシャフト取付け孔１８４に、支点シャフト４２０Ｆが取り付けられる。また、後方のシャフト取付け孔１８４に、穿孔刃支持シャフト４２０Ｓが取り付けられる。
【００４３】
＜支点シャフト４２０Ｆおよび穿孔刃支持シャフト４２０Ｓについて＞
図１０は、この発明の第１の実施の形態に係る雄シャフトを示す図である。図１０（Ａ）が底面図であり、図１０（Ｂ）が側面図である。また、図１１は、この発明の第１の実施の形態に係る雌シャフトを示す図である。図１１（Ａ）が底面図であり、図１１（Ｂ）が側面図であり、図１１（Ｃ）が図１１（Ａ）に示すＸＩＣ−ＸＩＣ断面図である。支点シャフト４２０Ｆおよび穿孔刃支持シャフト４２０Ｓは、互いに同じ構造を有する。具体的には、支点シャフト４２０Ｆおよび穿孔刃支持シャフト４２０Ｓは、一対の雄シャフト４３０および雌シャフト４４０から構成される。雄シャフト４３０は、略円板状の雄頭部４３２と、雄頭部４３２の一方の主面の略中央から軸方向にのびる雄主軸部４３４とを有する。雄頭部４３２の他方の主面は、雄主軸部４３４がのびる方向と反対側に湾曲して突出するように形成される。
【００４４】
雌シャフト４４０は、略円板状の雌頭部４４２と、雌頭部４４２の一方の主面の略中央から軸方向にのびる雌主軸部４４４とを有する。雌頭部４４２の他方の主面は、雌主軸部４４４がのびる方向と反対側に湾曲して突出するように形成される。雌主軸部４４４は、その直径が、雄主軸部４３４の直径よりも大きく形成される。雌主軸部４４４の底面には、雄主軸部４３４に対応した形状の雄シャフト嵌合穴４４６が形成される。すなわち、この雄シャフト嵌合穴４４６に、雄シャフト４３０の雄主軸部４３４が嵌合される。このようにして、雌シャフト４４０に雄シャフト４３０が取り付けられ、一本の支点シャフト４２０Ｆまたは穿孔刃支持シャフト４２０Ｓとなる。
【００４５】
レバー１７０は、ハウジング２０の収納空間２２に穿孔パンチ１００を収納したときにおいて、レバー天板１７２が土台１１０のベース部１１２の下端部と略々平行になるように、土台１１０のレバー取付け部１３０に取り付けられている。
レバー１７０は、ハウジング２０の収納空間２２から穿孔パンチ１００を被穿孔材Ｐに穿孔するために取り出したときにおいては、その端縁が上方に上がり、傾斜するように、土台１１０のレバー取付け部１３０に取り付けられている。
【００４６】
＜第１の実施の形態に係る穿孔刃４５０について＞
図１２は、この発明の第１の実施の形態に係る穿孔刃について示す図である。図１２（Ａ）が平面図、図１２（Ｂ）が（Ａ）に示すＸＩＩＢ矢視図、図１２（Ｃ）が（Ａ）に示すＸＩＩＣ矢視図である。穿孔刃４５０は、軸方向の寸法を有する略円柱形状である。穿孔刃４５０は、その下端に二股状の刃部４５２を有する。また、穿孔刃４５０の側面には、その上方部に、軸方向と直行する方向に貫通する平面視円形状のシャフト取付け孔４５４が形成される。シャフト取付け孔４５４は、二股の刃部４５２が並ぶ方向にのびて形成される。
【００４７】
＜土台１１０へのレバー１７０の取付けについて＞
土台１１０のレバー取付け部１３０に、下方の開放されたレバー１７０をかぶせるようにして嵌め込む。このとき、レバー取付け部１３０に形成された前後方向摺動切欠き１３８と、レバー１７０に形成された前側のシャフト取付け孔１８４との位置を合わせ、且つレバー取付け部１３０に形成された上下方向摺動切欠き１４９と、レバー１７０に形成された後側のシャフト取付け孔１８４との位置を合わせた状態にして嵌め込む。
【００４８】
次に、レバー側板１８２（（一方の）左側のレバー側板１８２Ｌまたは（他方の）右側のレバー側板１８２Ｒ）に形成された前側のシャフト取付け孔１８４に、雌シャフト４４０を挿入する。そして、雌シャフト４４０を挿入したレバー側板１８２（（一方の）左側のレバー側板１８２Ｌまたは（他方の）右側のレバー側板１８２Ｒ）に対向した側のレバー側板１８２（（一方の）左側のレバー側板１８２Ｌまたは（他方の）右側のレバー側板１８２Ｒ）に形成された前側のシャフト取付け孔１８４から、雄シャフト４３０を挿入する。このとき、雄シャフト４３０の雄主軸部４３４を、雌シャフト４４０に形成された雄シャフト嵌合穴４４６に嵌合するようにして、雄シャフト４３０を挿入する。
【００４９】
次に、レバー取付け部１３０に形成された穿孔刃移動空間１５０に穿孔刃４５０を挿入する。このとき、穿孔刃４５０に形成されたシャフト取付け孔４５４と、レバー取付け部１３０に形成された（一方の）左側の上下方向摺動受け部１４２Ｌ及び（他方の）右側の上下方向摺動受け部１４２Ｒとが左右方向に連なるようにして、レバー取付け部１３０に形成された穿孔刃移動空間１５０に穿孔刃４５０を挿入する。そして、レバー側板１８２（（一方の）左側のレバー側板１８２Ｌまたは（他方の）右側のレバー側板１８２Ｒ）に形成された後側のシャフト取付け孔１８４から、雌シャフト４４０を挿入する。このとき、雌シャフト４４０は、レバー側板１８２（（一方の）左側のレバー側板１８２Ｌまたは（他方の）右側のレバー側板１８２Ｒ）に形成された後側のシャフト取付け孔１８４と、穿孔刃４５０に形成されたシャフト取付け孔４５４と、対向した側のレバー側板１８２（（一方の）左側のレバー側板１８２Ｌまたは（他方の）右側のレバー側板１８２Ｒ）に形成された後側のシャフト取付け孔１８４とを通るようにして挿入される。したがって、雌シャフト４４０によって、穿孔刃４５０が上下方向に支持される。そして、雌シャフト４４０を挿入したレバー側板１８２（（一方の）左側のレバー側板１８２Ｌまたは（他方の）右側のレバー側板１８２Ｒ）に対向する側のレバー側板１８２（（一方の）左側のレバー側板１８２Ｌまたは（他方の）右側のレバー側板１８２Ｒ）に形成された後側のシャフト取付け孔１８４から、雄シャフト４３０を挿入する。このとき、雄シャフト４３０の雄主軸部４３４を、雌シャフト４４０に形成された雄シャフト嵌合穴４４６に嵌合するようにして、雄シャフト４３０を挿入する。
【００５０】
上述のようにして、土台１１０に取り付けられたレバー１７０は、土台１１０の前後方向摺動切欠き１３８に取り付けられた支点シャフト４２０Ｆを略支点にして、上下方向と前後方向の交わる平面で回転する。このとき、レバー１７０は、土台１１０の上下方向摺動切欠き１４９に取り付けられた穿孔刃支持シャフト４２０Ｓが上下方向に移動するように回転する。具体的には、支点シャフト４２０Ｆが前後方向摺動切欠き１３８の内部を前後方向に摺動しながら、穿孔刃支持シャフト４２０Ｓが上下方向摺動切欠き１４９の内部を上下方向に摺動する。支点シャフト４２０Ｆは、穿孔刃支持シャフト４２０Ｓが下方向に移動するとき、前後方向摺動切欠き１３８の上壁に当接しながら前方向に摺動する。また、支点シャフト４２０Ｆは、穿孔刃支持シャフト４２０Ｓが上方向に移動するとき、前後方向摺動切欠き１３８の底壁に当接しながら後方向に摺動する。穿孔刃支持シャフト４２０Ｓの上下方向の摺動にともなって、穿孔刃４５０が穿孔刃移動空間１５０の内部を上下方向に移動する。穿孔刃４５０は、最も下方に移動したとき、その刃先がベース天部１１４に形成された穿孔用孔１１８にまで至る。したがって、穿孔刃４５０を上下方向に移動させることにより、ベース天部１１４に載置された被穿孔体Ｐに綴じ孔をあけることができる。また、穿孔の際に生じる紙屑などを下方に配設されるダストボックス２１０に落下させて収納することができる。
【００５１】
＜第１の実施の形態に係るダストボックス２１０について＞
図１３および図１４は、この発明の第１の実施の形態に係るダストボックスについて示す図である。図１３（Ａ）が平面図であり、図１３（Ｂ）が右側面図である。また、図１４が図１３（Ａ）に示すＸＩＶ−ＸＩＶ断面図である。ダストボックス２１０は、穿孔の際に生じる紙屑などを収納するためのものである。第１の実施の形態に係るダストボックス２１０は、可撓性を有する物質で形成される。ダストボックス２１０は、前後方向にのびるダストボックス底板２１２を有する。ダストボックス底板２１２には、その後方部に、厚み（すなわち、上下方向の寸法）が小さくなったヒンジ部２１４が形成される。
【００５２】
ダストボックス底板２１２は、ヒンジ部２１４の前方部の厚み（すなわち、上下方向の寸法）が、その後方部分の厚みよりも小さく形成される。ダストボックス底板２１２のヒンジ部２１４の前方部には、その左端辺および右端辺から立ち上がる（一方の）左側のダストボックス側板２１７Ｌ及び（他方の）右側のダストボックス側板２１７Ｒが形成される。また、ダストボックス底板２１２の前端辺の近傍には、ダストボックス前板２１８が形成される。また、ダストボックス底板２１２には、ダストボックス前板２１８と前後方向に並ぶようにして、ダストボックス前板２１８とほぼ同じ形状のダストボックス仕切り板２２０が形成される。ダストボックス前板２１８と、ダストボックス仕切り板２２０とにより、上下方向にのびる嵌合雌部２２８が形成される。この嵌合雌部２２８は、上述したベース天部１１４に形成される嵌合雄板１１６の雌部材となる。また、ダストボックス底板２１２の前端辺には、左方向に突出する嵌合凸部２１６Ｌと、右方向に突出する嵌合凸部２１６Ｒとが形成される。すなわち、ダストボックス２１０のヒンジ部２１４の前方部は、後方および上方が開放された略箱型の形状を有する。また、ダストボックス底板２１２のヒンジ部２１４の後方部には、上下方向に貫通する平面視略円形状の回転軸取付け孔２２２が形成される。
【００５３】
ダストボックス２１０は、土台１１０の下方部分に取り付けられる。具体的には、ダストボックス２１０の嵌合雌部２２８に、土台１１０の嵌合雄板１１６が嵌合され、且つダストボックス２１０の嵌合凸部２１６が、土台１１０の嵌合凹部１２６に嵌合される。このようにして、ダストボックス２１０のヒンジ部２１４の前方部が、土台１１０のベース部１１２の下方部に取り付けられる。また、ダストボックス２１０のヒンジ部２１４の後方部が、回転軸取付け部１６０の底面に形成された凹部１６２に嵌合される。このようにして、ダストボックス２１０のヒンジ部２１４の後方部分が、土台１１０の回転軸取付け部１６０の下方部に取り付けられる。
【００５４】
上述したように、ダストボックス２１０が、土台１１０の下方部に取り付けられることにより、土台１１０のベース天板１１４に形成された穿孔用孔１１８の下方に、穿孔の際に生じる紙屑などを収納するための空間が形成される。また、ダストボックス２１０に形成された回転軸取付け孔２２２と、土台１１０に形成された回転軸取付け孔１６６とが上下方向に連なる。この連なった孔に、回転軸４００が通されて固定されることにより、ダストボックス２１０のヒンジ部２１４の後方部分が土台１１０に固定される。また、ダストボックス２１０に収納された紙屑などを取り除く際には、ダストボックス２１０のヒンジ部２１４の前方部を下方に撓ませる。このようにして、ダストボックス２１０のヒンジ部２１４の前方部における土台１１０との嵌合を外し、ダストボックス２１０から紙屑などを取り除く。
【００５５】
＜第１の実施の形態に係る回転軸４００について＞
図１５は、この発明の第１の実施の形態に係る回転軸について示す図である。図１５（Ａ）が平面図であり、図１５（Ｂ）が側面図である。第１の実施の形態に係る回転軸４００は、略円板状の回転頭部４０２と、回転頭部４０２の一方の主面の略中央から軸方向にのびる回転主軸部４０４とを有する。回転頭部４０２の他方の主面は、回転主軸部４０４がのびる方向と反対側に湾曲して突出するように形成される。回転主軸部４０４の先端の近傍には、周方向にわたって周方向凹部４０６が形成される。この周方向凹部４０６に、後述する留めリング４６０が取り付けられる。
【００５６】
＜留めリング４６０について＞
図１６は、この発明の第１の実施の形態に係る留めリングについて示す図である。図１６（Ａ）が平面図であり、図１６（Ｂ）が側面図である。留めリング４６０は、上述した回転軸４００を固定するためのものである。留めリング４６０は、両面が略平板状に形成される。留めリング４６０は、その縁部の一部から中心方向に向かって幅寸法が小さくなるように形成された挿入切欠き部４６２と、留めリング４６０の略中央に挿入切欠き部４６２と一体的に形成された略円形状の軸留め切欠き部４６４とを有する。
【００５７】
＜付勢手段（バネ部材４１０）について＞
付勢手段としてのバネ部分４１０は、穿孔パンチ１００を穿孔時から常態時に戻すための付勢手段であるとともに、穿孔パンチ１００をハウジング２０に収納した状態から、穿孔するためにハウジング２０から穿孔パンチ１００を構成する第１の穿孔パンチ１００Ｌと第２の穿孔パンチ１００Ｒとを同時に、中央から両側に開くために旋回するための付勢手段である。
【００５８】
図１７は、この発明の第１の実施の形態に係るバネ部材について示す図である。図１７（Ａ）が平面図であり、図１７（Ｂ）が側面図である。付勢手段としてのバネ部材４１０は、主として、コイルばねで構成されており、コイルの軸方向にのびる主巻き部４１２と、主巻き部４１２の下端から軸方向と直交する方向にのびる下端延在部４１４と、主巻き部４１２の上端から軸方向と直交する方向であり、且つ下端延在部４１４とは反対側にのびる上端延在部４１６とを有する。下端延在部４１４は、その寸法が、上端延在部４１６のそれよりも大きく形成される。主巻き部４１２、下端延在部４１４および上端延在部４１６は、弾性を有する鋼等の線材で一体的に形成される。
【００５９】
＜穿孔パンチ１００のハウジング２０への取付けについて＞
まず、上述したように、土台１１０にレバー１７０およびダストボックス２１０を取り付ける。次に、土台１１０の後端部である回転軸取付け部１６０およびダストボックス２１０のヒンジ部２１４の後方部分を、ハウジング２０の底板３０と台座５２の間に挿入する。このとき、底板３０に形成された回転軸取付け孔３２と、ダストボックス２１０に形成された回転軸取付け孔２２２と、土台１１０に形成された回転軸取付け孔１６６と、台座５２に形成された回転軸取付け孔５４とが上下方向に連なるようにして挿入する。そして、この上下方向に連なった回転軸取付け孔３２，回転軸取付け孔２２２，回転軸取付け孔１６６及び回転軸取付け孔５４に回転軸４００の回転主軸部４０４を挿入する。このように回転軸４００が挿入されると、回転主軸部４０４は、その先端が台座５２の上面よりも上方に位置するようになる。
【００６０】
バネ部材４１０は、台座５２の上面に載置される。このとき、バネ部材４１０は、その主巻き部４１２のバネ軸孔４１８に、台座５２の上面からとび出た回転軸４００が通される。また、バネ部材４１０の下端延在部４１４は、ハウジング２０の背板６０に左右方向にのびて形成される下方位置決め部６４と、上方位置決め部６６との間に通されることにより、位置決めされる。また、バネ部材４１０の上端延在部４１６は、レバー側板１８２Ｌの内壁にはりつくように配設される。最後に、留めリング４６０を、回転軸４００の台座５２の上面からとび出た部分に取り付けて、回転軸４００を位置決めする。具体的には、留めリング４６０を、その挿入切欠き部４６２から、回転軸４００の周方向凹部４０６に挿入し、その軸留め切欠き部４６４を、回転軸４００の周方向凹部４０６に嵌合することにより、回転軸４００を位置決めする。上述のようにして、ハウジング２０の左側の側板１００Ｌの近傍に第１の穿孔パンチ１００Ｌを取り付ける。また、ハウジング２０の右側の側板１００Ｒの近傍に第１の穿孔パンチ１００Ｌを取り付ける。このようにして、ハウジング２０に取り付けられた（一方の）左側の第１の穿孔パンチ１００Ｌ及び（他方の）右側の第２の穿孔パンチ１００Ｒそれぞれは、ハウジング２０に回転可能に支持される。このとき、左側の回転軸４００Ｌおよび右側の回転軸４００Ｒは、第１の回転軸として作用する。また、このとき、（一方の）左側のレバー１７０Ｌ及び（他方の）右側のレバー１７０Ｒそれぞれは、その後端部が、ハウジング２０の天板８０に形成された（一方の）左側の切欠部８８Ｌ及び（他方の）右側の切欠部８８Ｒを上下方向に通るように配設される。
【００６１】
上述のようにして、ハウジング２０の左側の側板１００Ｌの近傍に穿孔パンチ１００Ｌを取り付ける。また、ハウジング２０の右側の側板１００Ｒの近傍に穿孔パンチ１００Ｌを取り付ける。このようにして、ハウジング２０に取り付けられた左側に配設される第１の穿孔パンチ１００Ｌ，右側に配設される第１の穿孔パンチ１００Ｒそれぞれは、ハウジング２０に回転可能に支持される。このとき、左側の回転軸４００Ｌおよび右側の回転軸４００Ｒは、第１の回転軸として作用する。また、このとき、レバー１７０Ｌ、１７０Ｒそれぞれは、その後端部が、ハウジング２０の天板８０に形成された切欠き部８８Ｌ、８８Ｒを上下方向に通るように配設される。
【００６２】
＜第１の実施の形態に係るハンドル３００について＞
図１８および図１９は、この発明の第１の実施の形態に係るハンドルについて示す図である。図１８（Ａ）が平面図であり、図１８（Ｂ）が正面図であり、図１８（Ｃ）が底面図である。また、図１９は、（Ａ）が図１８（Ｂ）に示すＩＸＸＡ−ＩＸＸＡ断面図、（Ｂ）が図１８（Ｃ）に示すＩＸＸＢ−ＩＸＸＢ断面図である。第１の実施の形態に係るハンドル３００は、ＡＢＳ樹脂などの合成樹脂により形成されることが好ましい。ハンドル３００は、（一方の）第１の穿孔パンチ１００Ｌ及び（他方の）第２の穿孔パンチ１００Ｒそれぞれを穿孔操作するためのものである。
ハンドル３００は、左右方向にのびる平面視略矩形状のハンドル天板３１０と、ハンドル天板３１０の左端辺から垂れ下がる一方の左側のハンドル側板３３０Ｌと、ハンドル天板３１０の右端辺から垂れ下がる一方の右側のハンドル側板３３０Ｒと、ハンドル天板３１０の前端辺から垂れ下がるハンドル前板３５０と、ハンドル天板３１０の後端辺から垂れ下がるハンドル背板３７０とを有する。
【００６３】
すなわち、ハンドル３００は、下方の開放された略箱型の形状を有する。なお、ハンドル天板３１０を平面視したときの外形（スイッチ上端挿入部３１２などの切り欠かれた部分を除く）は、ハウジング２０を平面視したときの外形（（一方の）左側の切欠部８８Ｌ及び（他方の）右側の切欠部８８Ｒなどを除く）とほぼ等しい。
【００６４】
ハンドル３００は、一方の穿孔パンチ１００Ｌと他方の穿孔パンチ１００Ｒとの間に架け渡される長さを備えている。ハンドル天板３１０は、その背面における左右方向の略中央に、ハンドル前板３５０の方向に凹む平面視略矩形状のスイッチ上端挿入部３１２が形成される。このスイッチ上端挿入部３１２に、後述するスイッチ２４０の上端部が挿入される。ハンドル天板３１０は、その内壁の左端辺の近傍に、下方に突出するハンドル突部３８０Ｌが形成される。また、ハンドル突部３８０Ｌの左右対称の位置に、ハンドル突部３８０Ｌと同じ形状のハンドル突部３８０Ｒが形成される。（一方の）左側のハンドル突部３８０Ｌ及び（他方の）右側のハンドル突部３８０Ｒそれぞれは同じ形状を有するため、ここでは、（一方の）左側のハンドル突部３８０Ｌ及び（他方の）右側のハンドル突部３８０Ｒをハンドル突部３８０として説明する。
【００６５】
ハンドル突部３８０は、ハンドル突部軸孔３８２を有する略円筒状に形成される。ハンドル突部３８０の先端には、その軸方向の上側にのびるようにハンドル切欠き部３８４が形成される。また、ハンドル突部３８０の先端には、その周方向にわたって、外径方向に突出する突部３８６が形成される。ハンドル突部３８０は、上述したような形状を有することにより、特にその先端部分が内径方向に撓むことができる。ハンドル３００は、その（一方の）左側のハンドル突部３８０Ｌ及び（他方の）右側のハンドル突部３８０Ｒそれぞれが内径方向に撓みながら、（一方の）左側のレバー１７０Ｌ及び（他方の）右側のレバー１７０Ｒに形成された（一方の）左側のハンドル取付け部１７４Ｌ及び（他方の）右側のハンドル取付け部１７４Ｒに挿入される。このようにして、ハンドル３００は、左側の第１の穿孔パンチ１００Ｌ、右側の第２の穿孔パンチ１００Ｒそれぞれを互いに接続するように、（一方の）左側のレバー１７０Ｌ及び（他方の）右側のレバー１７０Ｒに取り付けられる。
【００６６】
このとき、ハンドル３００は、（一方の）左側のレバー１７０Ｌ及び（他方の）右側のレバー１７０Ｒそれぞれに回転可能に取り付けられる。（一方の）第１の穿孔パンチ１００Ｌ及び（他方の）第２の穿孔パンチ１００Ｒを接続するようにして一つのハンドル３００を取り付けることにより、ハンドル３００を略下方に押すだけで左側の第１の穿孔パンチ１００Ｌと右側の第２の穿孔パンチ１００Ｒとを同時に操作して、被穿孔体Ｐに綴じ孔をあけることができる。（一方の）第１の穿孔パンチ１００Ｌ及び（他方の）第２の穿孔パンチ１００Ｒそれぞれのハウジング２０に対する第１の回転軸としての（一方の）左側の回転軸４００Ｌ及び（他方の）右側の回転軸４００Ｒと、（一方の）第１の穿孔パンチ１００Ｌ及び（他方の）第２の穿孔パンチ１００Ｒそれぞれのハンドル３００に対する第２の回転軸としてのハンドル突部３８０（またはレバー１７０のハンドル取付け部１７４）とは、（一方の）第１の穿孔パンチ１００Ｌ及び（他方の）第２の穿孔パンチ１００Ｒが被穿孔体Ｐに綴じ孔をあけたとき、一直線状になる。
【００６７】
＜第１の実施の形態に係るスイッチ２４０について＞
図２０および図２１は、この発明の第１の実施の形態に係るスイッチについて示す図である。図２０（Ａ）が平面図であり、図２０（Ｂ）が（Ａ）に示すＸＸＢ矢視図（すなわち、正面図）である。また、図２１は、図２１（Ｂ）に示すＸＸＩ−ＸＸＩ断面の拡大図である。
スイッチ２４０は、ＡＢＳ樹脂などの合成樹脂により形成されることが好ましい。スイッチ２４０は、図１（Ｂ）に示すようにハウジング２０に収納された（一方の）第１の穿孔パンチ１００Ｌ及び（他方の）第２の穿孔パンチ１００Ｒをワンタッチで図１（Ａ）に示すように引き出された状態に切り替えるためのものである。
スイッチ２４０は、上下方向にのびる板状のスイッチ板部２４２と、スイッチ板部２４２の左端辺における上下方向の略中央に上下方向にのびるように突設された左側のスライド突部２４４Ｌと、左側のスライド突部２４４Ｌと同じ形状を有し、スライド突部２４４Ｌと左右対称の位置に形成されるスライド突部２４４Ｒと、スイッチ板部２４２の下端辺から立ち上がるように形成されたスイッチ下端突部２５０と、スイッチ板部２４２の上端辺から立ち上がるように形成されたスイッチ上端突部２６０とを有する。左側のスライド突部２４４Ｌ、右側のスライド突部２４４Ｒ、スイッチ下端突部２５０およびスイッチ上端突部２６０は、すべて、スイッチ板部２４２から前方向に突出するように形成される。
【００６８】
（一方の）左側のスライド突部２４４Ｌ及び（他方の）右側のスライド突部２４４Ｒそれぞれは、その先端に、スイッチ板部２４２の外方向に突出する平面視略直角三角形の（一方の）左側のスライド係合部２４５Ｌ及び（他方の）右側のスライド係合部２４５Ｒが形成される。
【００６９】
スライド突部２４４Ｌ，２４４Ｒそれぞれは、その先端に、スイッチ板部２４２の外方向に突出する平面視略直角三角形のスライド係合部２４５Ｌ、２４５Ｒが形成される。
【００７０】
スイッチ下端突部２５０は、スイッチ板部２４２の下端辺全域にわたって形成されたスイッチ下端幅方向突部２５２と、スイッチ板部２４２の下端辺の左右方向における略中央に形成された３つのスイッチ下端長手方向突部２５４とを有する。３つのスイッチ下端長手方向突部２５４それぞれは、その底面がスイッチ下端幅方向突部２５２の上面に当接する。３つのスイッチ下端長手方向突部２５４それぞれは、互いに左右方向において所定の距離だけ離れて形成される。３つのスイッチ下端長手方向突部２５４それぞれは、正面からみると略矩形状であり、側面から見るとその前端部に鋭角を有し、後端部の底面が直角に形成された略直角三角形である。なお、前端部の鋭角の先端は、その角部が切り落とされたように平板状に形成される。
【００７１】
スイッチ上端突部２６０は、スイッチ板部２４２の上端辺全域にわたって形成されたスイッチ上端幅方向突部２６２と、スイッチ板部２４２の上端辺の左右方向における略中央に形成された３つのスイッチ上端長手方向突部２６４と、スイッチ板部２４２の上端辺の左端部および右端部に形成された二つのスイッチ上端長手方向突部２６４とを有する。すなわち、スイッチ上端長手方向突部２６４は、合計で５つ形成される。５つのスイッチ上端長手方向突部２６４それぞれは、その上面がスイッチ上端幅方向突部２６２の底面に当接する。５つのスイッチ上端長手方向突部２６４それぞれは、互いに左右方向において所定の距離だけ離れて形成される。５つのスイッチ上端長手方向突部２６４それぞれは、正面からみると略矩形状である。
【００７２】
スイッチ２４０は、ハウジング２０の背板６０の外壁から、ハウジング２０の背板６０に形成されたスイッチ取付け部７０に取り付けられる。具体的には、スイッチ下端突部２５０が、スイッチ取付け部７０の外壁から収納空間２２に通されて、ハウジング２０の底板３０に形成された舌状部３６に取り付けられる。このとき、３つのスイッチ下端長手方向突部２５４それぞれの底面が、舌状部３６の上面に載置され、且つスイッチ下端幅方向突部２５２の前面と、舌状部３６の前面とが当接するように配設される。このようにして、スイッチ取付け部７０のスイッチ下端取付け部７４に、スイッチ下端突部２５０が取り付けられる。
【００７３】
スイッチ板部２４２は、その前面が、スイッチ胴体取付け部７２の外壁に当接して上下方向にのびるように配設される。また、スイッチ上端突部２６２は、ハウジング２０の天板８０よりも上方に位置するように配設される。スイッチ２４０の（一方の）左側のスライド突部２４４Ｌ及び（他方の）右側のスライド突部２４４Ｒそれぞれは、スイッチ取付け部７０に上下方向にのびるように形成された（一方の）左側のスリット７８Ｌ及び（他方の）右側のスリット７８Ｒそれぞれに取り付けられる。このようにして、スイッチ２４０は、ハウジング２０に上下方向にスライド可能に取り付けられる。
【００７４】
＜穿孔パンチ１００の収納状態について＞
穿孔パンチ１００は、ハウジング２０に回転可能に支持されることにより、図１（Ａ）に示す引き出された状態と、図１（Ｂ）に示す収納された状態とを切り替えることができる。図２２は、この発明の第１の実施の形態に係るパンチが備える穿孔パンチがハウジングに収納されて保持された状態を示す断面図である。
穿孔パンチ１００がハウジング２０の収納空間２２に収納された状態では、土台１１０のベース側部１２４Ｒの前方部に形成された嵌合凹部１２６Ｒと、ダストボックス２１０の前方部分の右側凹部とが連なることにより形成された被保持部２３０に、舌状部３６の上面３６ｉに突設された突部３８が係合する。このようにして、穿孔パンチ１００が、ハウジング２０の収納空間２２に保持される。
【００７５】
＜穿孔パンチ１００をハウジング２０からの引き出す手順について＞
図２３は、この発明の第１の実施の形態に係るパンチが備えるハウジングに保持された穿孔パンチを解除する様子を示す断面図である。スイッチ２４０の上端を押下することにより、穿孔パンチ１００がハウジング２０の収納空間２２に保持された状態を解除することができる。具体的には、スイッチ２４０の上端を押下すると、スイッチ下端長手方向突部２５４が、ハウジング２０に形成された舌状部３６の後方部を下方に撓ませる。こうすることにより、穿孔パンチ１００の底面に形成された被保持部２３０と、舌状部３６に突設された突部３８との係合がはずれる。
【００７６】
ここで、ハウジング２０の収納空間２２に収納された穿孔パンチ１００は、バネ部材４１０により、常にハウジング２０の収納空間２２から外にとび出す方向に付勢されている。したがって、上述したように、スイッチ２１０の上端を押下することによって、穿孔パンチ１００の底面に形成された被保持部２３０と、舌状部３６に突設された突部３８との係合がはずれると、穿孔パンチ１００が、ハウジング２０の収納空間２２から外側にとび出し、図１（Ａ）に示す引き出された状態となる。第１の穿孔パンチ１００Ｌと、第２の穿孔パンチ１００Ｒとは、ハウジング２０の中央から両側に開くように（すなわち、観音開きのように）、ハウジング２０の収納空間２２から回転してとび出し、図１（Ａ）に示す状態となる。このようにして、ハウジング２０の底板３０に形成された保持部３４、および穿孔パンチ１００に形成された被保持部２３０が、保持手段および解除手段として作用する。
【００７７】
＜穿孔パンチ１００をハウジング２０に収納する手順について＞
図２４は、この発明の第１の実施の形態に係るパンチを側面視したときの断面図であり、穿孔パンチが引き出された状態で、レバーが略上方に付勢された状態の図である。図２５は、この発明の第１の実施の形態に係るパンチを側面視したときの断面図であり、穿孔パンチが引き出された状態で、レバーが穿孔した位置にあるときの図である。図２６は、この発明の第１の実施の形態に係るパンチを平面視したときの断面図であり、穿孔パンチが引き出された状態を示す図である。図２７は、この発明の第１の実施の形態に係るパンチを平面視したときの断面図であり、穿孔パンチがハウジングに収納された状態を示す図である。図２８は、この発明の第１の実施の形態に係るパンチを正面からみたときの図である。図２９は、この発明の第１の実施の形態に係るパンチを正面からみたときの断面図である。
【００７８】
続いて、二つの（一方の）第１の穿孔パンチ１００Ｌ及び（他方の）第２の穿孔パンチ１００Ｒを、図１（Ａ）に示すハウジング２０の手前側に引き出された状態から、図１（Ｂ）に示すハウジング２０に収納された状態に切り替える手順について説明する。まず、（一方の）左側のバネ部材４１０Ｌ及び（他方の）右側のバネ部材４１０Ｒの略上方の付勢力に抗って、ハンドル３００を略下方に移動させる。このとき、土台１１０と、レバー１７０とが、互いに略平行に上下方向に重なった状態となるまでハンドル３００を略下方に移動させる。また、このとき、二つのレバー１７０それぞれの後方端部に突設されたハンドル取付け部１７４が、ハウジング２０の天板８０の前端辺に形成された（一方の）左側の切欠部８８Ｌ及び（他方の）右側の切欠部８８Ｒそれぞれを下方から上方に向けて貫通する。また、二つのレバー１７０それぞれに取り付けられたハンドル３００両端のハンドル突部３８０それぞれも、ハウジング２０の天板８０の前端辺に形成された（一方の）左側の切欠部８８Ｌ及び（他方の）右側の切欠部８８Ｒそれぞれを上方から下方に向けて貫通する。また、このとき、ハンドル３００に形成されたスイッチ上端挿入部３１２に、スイッチ２４２に形成されたスイッチ上端突部２６０が挿入される。また、このとき、レバー１７０の後端部と、土台１１０の後端部との間に、台座５２が挟まれた状態になる。また、このとき、ハンドル３００と、ハウジング２０の天板８０とが上下方向に重なった状態となる。このようにして、（一方の）第１の穿孔パンチ１００Ｌ及び（他方の）第２の穿孔パンチ１００Ｒそれぞれのハウジング２０に対する第１の回転軸としての（一方の）左側の回転軸４００Ｌ及び（他方の）右側の回転軸４００Ｒと、（一方の）第１の穿孔パンチ１００Ｌ及び（他方の）第２の穿孔パンチ１００Ｒそれぞれのハンドル３００に対する第２の回転軸としてのハンドル突部３８０（またはレバー１７０のハンドル取付け部１７４）とが、一直線状になる。
【００７９】
そして、（一方の）左側のバネ部材４１０Ｌ及び（他方の）右側のバネ部材４１０Ｒの付勢力に抗って、（一方の）第１の穿孔パンチ１００Ｌ及び（他方の）第２の穿孔パンチ１００Ｒそれぞれをハウジング２０の（一方の）左側の収納空間２２Ｌ及び（他方の）右側の収納空間２２Ｒの方向に回転させて、（一方の）第１の穿孔パンチ１００Ｌ及び（他方の）第２の穿孔パンチ１００Ｒそれぞれの底面に形成された被保持部２３０と、ハウジング２０の底板３０に突設された（一方の）左側の突部３８Ｌ及び（他方の）右側の突部３８Ｒとを係合させることにより、（一方の）第１の穿孔パンチ１００Ｌ及び（他方の）第２の穿孔パンチ１００Ｒそれぞれをハウジング２０に保持する。このようにして、二つの（一方の）第１の穿孔パンチ１００Ｌ及び（他方の）第２の穿孔パンチ１００Ｒを、図１（Ａ）に示すハウジング２０の手前側に引き出された状態から、図１（Ｂ）に示すハウジング２０に収納された状態に切り替える。
【００８０】
なお、第１の穿孔パンチ１００Ｌおよび第２の穿孔パンチ１００Ｒそれぞれは、ハンドル３００が略下方に押下され、土台１１０とレバー１７０とが前後方向にのびるように略平行になった状態のときの外形が、ハウジング２０の収納空間２２Ｌ、２２Ｒと同じである。また、第１の穿孔パンチ１００Ｌおよび第２の穿孔パンチ１００Ｒそれぞれは、互いに同じ形状を有し、且つハウジング２０の収納空間２２Ｌ、２２Ｒそれぞれも互いに同じ形状を有する。したがって、第１の穿孔パンチ１００Ｌおよび第２の穿孔パンチ１００Ｒそれぞれがハウジング２０の収納空間２２Ｌ，２２Ｒに収納された状態のとき、パンチ１０はコンパクトな態様になる。
【００８１】
＜第１の実施の形態のまとめについて＞
上述したように、穿孔パンチ１００Ｌ，１００Ｒは、スイッチ２１０の上端を押下するのみで（すなわち、ワンタッチで）、ハウジング２０に収納された状態から引き出された状態に切り替えることができる。さらに、穿孔パンチ１００Ｌ，１００Ｒそれぞれは、一つのハンドル３００によって接続されている。したがって、一つのハンドル３００を略下方に押すのみで、穿孔パンチ１００Ｌ，１００Ｒそれぞれに被穿孔体Ｐに対する穿孔を行わせることができる。
【００８２】
上述したように、（一方の）第１の穿孔パンチ１００Ｌ及び（他方の）第２の穿孔パンチ１００Ｒは、スイッチ２１０の上端を押下するのみで（すなわち、ワンタッチで）、ハウジング２０に収納された状態から引き出された状態に切り替えることができる。さらに、（一方の）第１の穿孔パンチ１００Ｌ及び（他方の）第２の穿孔パンチ１００Ｒそれぞれは、一つのハンドル３００によって接続されている。したがって、一つのハンドル３００を略下方に押すのみで、（一方の）第１の穿孔パンチ１００Ｌ及び（他方の）第２の穿孔パンチ１００Ｒそれぞれに被穿孔体Ｐに対する穿孔を行わせることができる。
【００８３】
また、ハウジング２０の天板８０の前端辺に形成された（一方の）左側の切欠部８８Ｌ及び（他方の）右側の切欠部８８Ｒそれぞれによって、ハンドル３００を下方に移動させ、且つ土台１１０と、レバー１７０とを互いに略平行に上下方向に重なった状態で、（一方の）第１の穿孔パンチ１００Ｌ及び（他方の）第２の穿孔パンチ１００Ｒそれぞれをハウジング２０に収納することができる。すなわち、よりコンパクトな状態で、（一方の）第１の穿孔パンチ１００Ｌ及び（他方の）第２の穿孔パンチ１００Ｒそれぞれをハウジング２０に収納することができる。さらに、ハンドル天板３１０を平面視したときの外形（スイッチ上端挿入部３１２などの切り欠かれた部分を除く）と、ハウジング２０を平面視したときの外形（（一方の）左側の切欠部８８Ｌ及び（他方の）右側の切欠部８８Ｒなどを除く）とがほぼ等しいため、ハンドル３００と、ハウジング２０の天板８０とが上下方向に重なることにより、よりコンパクトな状態で、（一方の）第１の穿孔パンチ１００Ｌ及び（他方の）第２の穿孔パンチ１００Ｒそれぞれをハウジング２０に収納することができる。さらに、ハンドル３００に形成されたスイッチ上端挿入部３１２に、スイッチ２４０の上端突部２６０が挿入されるため、よりコンパクトな状態で、（一方の）第１の穿孔パンチ１００Ｌ及び（他方の）第２の穿孔パンチ１００Ｒそれぞれをハウジング２０に収納することができる。
【００８４】
さらに、（一方の）第１の穿孔パンチ１００Ｌ及び（他方の）第２の穿孔パンチ１００Ｒそれぞれのハウジング２０に対する第１の回転軸としての（一方の）左側の回転軸４００Ｌ及び（他方の）右側の回転軸４００Ｒと、（一方の）第１の穿孔パンチ１００Ｌ及び（他方の）第２の穿孔パンチ１００Ｒそれぞれのハンドル３００に対する第２の回転軸としてのハンドル突部３８０（またはレバー１７０のハンドル取付け部１７４）とが、一直線状で収納できるため、よりコンパクトな状態で、（一方の）第１の穿孔パンチ１００Ｌ及び（他方の）第２の穿孔パンチ１００Ｒそれぞれをハウジング２０に収納することができる。パンチ１０は、上述したような構造を有するため、（一方の）第１の穿孔パンチ１００Ｌ及び（他方の）第２の穿孔パンチ１００Ｒそれぞれをハウジング２０に収納した際、その外形が、綺麗な略直方体の形状となる。したがって、パンチ１０は、携帯する際にも便利である。
【００８５】
＜第２の実施の形態について＞
続いて、図３０〜４３を参照しながら、この発明の第２の実施の形態に係るパンチについて説明する。第２の実施の形態に係るパンチは、ハウジングに収納された状態の穿孔パンチを指などで押し出すことにより、ハウジングから引き出された状態に切り替えるための構造を有する。第２の実施の形態に係るパンチは、このような構造を除いて、上述した第１の実施の形態に係るパンチ１０と同様の構造を有する。したがって、同一部分には同じ参照番号を付し、同様となる説明は繰り返さない。
【００８６】
＜第２の実施の形態に係るハウジング２０について＞
図３０〜３３は、この発明の第２の実施の形態に係るハウジングを示す図であり、（Ａ）が平面図であり、（Ｂ）が底面図である。また、図３１（Ａ）が図３０に示すＸＸＸＩＡ矢視図（すなわち、正面図）であり、図３１（Ｂ）が図３０に示すＸＸＸＩＢ矢視図（すなわち、背面図）である。また、図３２は、図３１（Ａ）に示すＸＸＸＩＩ―ＸＸＸＩＩ断面図である。また、図３３（Ａ）は、図３１（Ａ）に示すＸＸＸＩＩＩＡ―ＸＸＸＩＩＩＡ断面図であり、図３３（Ｂ）は、図３１（Ａ）に示すＸＸＸＩＩＩＢ―ＸＸＸＩＩＩＢ断面図である。
【００８７】
第２の実施の形態に係るハウジング２０は、ＡＢＳ樹脂などの合成樹脂により形成されることが好ましい。ハウジング２０は、底板３０と、側板５０Ｌと、側板５０Ｒと、背板６０と、挟持部としての天板８０とを有する。なお、この実施の形態に係るハウジング２０の天板８０は、上述した第１の実施の形態と同様である。したがって、ここでは、第１の実施の形態と異なる構造を有する底板３０、側板５０Ｌ、側板５０Ｒおよび背板６０のみを説明し、側板５０Ｌ、側板５０Ｒおよび天板８０の同様となる説明は繰り返さない。
【００８８】
＜底板３０について＞
底板３０は、平板状に形成され、左側の側板５０Ｌの近傍に形成される回転軸取付け孔３２Ｌと、右側の側板５０Ｒの近傍に形成される回転軸取付け孔３２Ｒとを有する。すなわち、この実施の形態に係るハウジング２０の底板３０には、第１の実施の形態に係る底板３０に形成された保持部３４が形成されない。
【００８９】
＜側板５０Ｌ，側板５０Ｒについて＞
左側の側板５０Ｌおよび右側の側板５０Ｒは、ハウジング２０の略中央に形成される仕切り板２４に関して、互いに面対称である。したがって、ここでは左側の側板５０Ｌについてのみ説明し、右側の側板５０Ｒについての同様となる説明は繰り返さない。側板５０Ｌの内壁の上下方向における略中央には、左右方向にのびるように台座５２Ｌが突設される。なお、この台座５２Ｌは、第１の実施の形態と同様であるため、ここでは同様となる説明を繰り返さない。
【００９０】
側板５０Ｌの内壁における底板３０の近傍には、前後方向にのびるように、正面から見たとき略半円状の突部摺動凹部５０２が形成される。突部摺動凹部５０２は、その内部を後述する土台後端突部５４２が摺動するために形成される。突部摺動凹部５０２は、上下方向において、台座５２と、底板３０の間に形成される。
【００９１】
＜背板６０について＞
この実施の形態に係るハウジング２０の背板６０には、第１の実施の形態に係る背板６０に形成された位置決め部６２およびスイッチ取付け部７０が形成されない。この実施の形態に係る背板６０は、その略中央を前後方向に貫通するように形成されるプッシュ孔５２２と、その内壁に後方向に凹むように形成された４つのシャフト頭嵌入部５２４ＦＬ，シャフト頭嵌入部５２４ＳＬ，シャフト頭嵌入部５２４ＦＲ及びシャフト頭嵌入部５２４ＳＲと、側板５０Ｌおよび側板５０Ｒそれぞれの近傍に形成された（一方の）左側の穿孔パンチ固定部５２６Ｌ及び（他方の）右側の穿孔パンチ固定部５２６Ｒとを有する。
【００９２】
＜プッシュ孔５２２について＞
プッシュ孔５２２は、上下方向において、その略中央が、第１の穿孔パンチ１００Ｌおよび第２の穿孔パンチ１００Ｒが有する支点シャフト４２０Ｆの中心と同じ位置になるように形成される。プッシュ孔５２２は、正面から見たとき、背板６０の左右方向における略中央を左右方向にのび、その両端部が円弧状に形成される。プッシュ孔５２２は、たとえば、ユーザーがその背面（すなわち、ハウジング２０の背板６０の外壁側）から指を通して、ハウジング２０に収納された状態の第１の穿孔パンチ１００Ｌ、および第２の穿孔パンチ１００Ｒをハウジング２０の収納空間２２から押し出すために形成される。したがって、プッシュ孔５２２は、その大きさが、人の指を貫通させるのに十分であることが好ましい。
【００９３】
＜シャフト頭嵌入部５２４について＞
シャフト頭嵌入部５２４ＦＬ，５２４ＳＬそれぞれは、ハウジング２０の収納空間２２Ｌに収納された状態の第１の穿孔パンチ１００Ｌの支点シャフト４２０Ｆ、穿孔刃支持シャフト４２０Ｓそれぞれの雄頭部４３２（または雌頭部４４２）を嵌入させるために形成される。また、同様に、シャフト頭嵌入部５２４ＦＲ，５２４ＳＲそれぞれは、ハウジング２０の収納空間２２Ｒに収納された状態の第２の穿孔パンチ１００Ｒの支点シャフト４２０Ｆ、穿孔刃支持シャフト４２０Ｓそれぞれを嵌入させるために形成される。
【００９４】
＜穿孔パンチ固定部５２６について＞
左側の穿孔パンチ固定部５２６Ｌは、ハウジング２０の背板６０における左側の側板５０Ｌの近傍に形成される。また、右側の穿孔パンチ固定部５２６Ｒは、ハウジング２０の背板６０における右側の側板５０Ｒの近傍に形成される。左側の穿孔パンチ固定部５２６Ｌ、右側の穿孔パンチ固定部５２６Ｒは、互いに鏡映されたような同様の形状を有し、左右対称の位置に形成される。したがって、ここでは、左側の穿孔パンチ固定部５２６Ｌについてのみ説明し、右側の穿孔パンチ固定部５２６Ｒについての同様となる説明は繰り返さない。
【００９５】
穿孔パンチ固定部５２６Ｌは、上下方向において、上述した側板５０Ｌに形成される突部摺動凹部５０２Ｌと同じ位置に左右方向にのびるように形成される。穿孔パンチ固定部５２６Ｌは、背板６０に左右方向にのびて形成される切欠きに対応した形状の穿孔パンチ固定舌状部５２８Ｌと、穿孔パンチ固定舌状部５２８Ｌの左端の近傍に形成された穿孔パンチ固定凹部５３０とを有する。穿孔パンチ固定舌状部５２８Ｌは、右端辺が背板６０と一体的に形成され、上端辺、下端辺および左端辺が、背板６０に左右方向にのびて形成される切欠きの縁部にそってのびる。穿孔パンチ固定舌状部５２８Ｌは、このような形状を有することにより、その右端辺を支点として、前後方向に撓むことができる。
【００９６】
＜第２の実施の形態に係る穿孔パンチ１００について＞
図３４および図３５は、この発明の第２の実施の形態に係る土台について示す図である。図３４（Ａ）が平面図であり、図３４（Ｂ）が右側面図である。また、図３５は、図３４（Ａ）に示すＸＸＸＶ−ＸＸＸＶ断面図である。第２の実施の形態に係る土台１１０は、土台後端突部５４２および土台バネ部材嵌入突部５４４を除いて、上述した第１の実施の形態に係る土台１１０と同様の構造を有する。したがって、ここでは、土台後端突部５４２および土台バネ部材嵌入突部５４４についてのみ説明し、その他の構成の同様となる説明は繰り返さない。
【００９７】
第２の実施の形態に係る土台１００は、その回転軸取付け部１６０の背面の略中央に、略半球状の土台後端突部５４２が突設される。この土台後端突部５４２は、上述したように、ハウジング２０から引き出された状態に穿孔パンチ１００を固定するために形成される。また、第２の実施の形態に係る土台１００の回転軸取付け部１６０の上面における前端（すなわち、レバー取付け部１３０と接する位置）には、土台バネ部材嵌入突部５４４が突設される。土台バネ部材嵌入突部５４４は、その幅方向の寸法が、レバー取付け部１３０のそれとほぼ等しい。土台バネ部材嵌入突部５４４は、土台バネ部材嵌入土台部５４６と、土台バネ部材嵌入土台部５４６の上面の略中央に突設される土台バネ部材嵌入先端部５４８とを有する。
【００９８】
＜第２の実施の形態に係るレバー１７０について＞
図３６および図３７は、この発明の第２の実施の形態に係るレバーについて示す図である。図３６（Ａ）が平面図であり、図３６（Ｂ）が右側面図である。また、図３７は、図３６（Ａ）に示すＸＸＸＶＩＩ−ＸＸＸＶＩＩ断面図である。第２の実施の形態に係るレバー１７０は、レバーバネ部材嵌入突部５６４を除いて、上述した第１の実施の形態に係るレバー１７０と同様の構造を有する。したがって、ここでは、レバーバネ部材嵌入突部５６４についてのみ説明し、その他の構成の同様となる説明は繰り返さない。
【００９９】
レバーバネ部材嵌入突部５６４は、レバー天板１７２の内壁における後方部のハンドル取付け部１７４に隣接した位置に突設されるレバーバネ部材嵌入突部５６４は、レバーバネ部材嵌入土台部５６６と、レバーバネ部材嵌入土台部５６６の底面の略中央に突設されるレバーバネ部材嵌入先端部５６８とを有する。
【０１００】
＜第２の実施の形態に係るバネ部材４１０について＞
図３８は、この発明の第２の実施の形態に係るバネ部材について示す図である。図３８（Ａ）が平面図であり、図３８（Ｂ）が正面図である。第２の実施の形態に係る付勢手段としてのバネ部材４１０は、下端延在部４１４および上端延在部４１６が形成されないことを除いて、上述した第１の実施の形態のバネ部材４１０と同様の構造を有する。すなわち、この実施の形態に係るバネ部材４１０は、軸方向にのびる主巻き部４１２のみからなり、主巻き部４１２は、その軸孔であるバネ軸孔４１８を有する。
【０１０１】
＜第２の実施の形態に係るパンチ１０の穿孔態様につて＞
図３９および図４０は、第２の実施の形態に係るパンチ１０の穿孔態様を説明するための側面から見たときの断面図である。図３９は、レバー１７０が略上方に付勢された状態を示す断面図であり、図４０は、レバー１７０を略下方に押下して被穿孔体Ｐに穿孔した状態を示す断面図である。まず、この実施の形態に係る回転軸４００は、上述した第１の実施の形態に係る回転軸４００の構造とは異なり、支点シャフト４２０Ｆまたは穿孔刃支持シャフト４２０Ｓと同様の構造である。すなわち、この実施の形態に係る回転軸４００は、その雌頭部４４２を上方に位置させて上下方向にのびるように取り付けられた雌シャフト４４０と、この雌シャフト４４０の雄シャフト嵌合穴４４６にその雄主軸部４３４を嵌合され、上下方向にのびるように取り付けられた雄シャフト４３０とから構成される。また、上述したように、ハウジング２０から引き出された状態のとき、この実施の形態に係る穿孔パンチ１００は、その土台後端突部５４２が、ハウジング２０の背板６０に形成される穿孔パンチ固定凹部５３０に嵌合することにより、固定される。
【０１０２】
また、上述した第１の実施の形態では、バネ部材４１０が第１の回転軸としての回転軸４００の上端部に取り付けられた。しかしながら、この第２の実施の形態に係るバネ部材４１０は、その下端部が土台１１０に突設された土台バネ部材嵌入突部５４４に取り付けられ、且つその上端部がレバー１７０に突設されたレバーバネ部材嵌入突部５６４に取り付けられることにより、レバー１７０を略上方に付勢する。土台バネ部材嵌入突部５４４と、レバーバネ部材嵌入突部５６４とは、被穿孔体Ｐに綴じ孔をあけた状態のとき、上下方向に一直線状になる。
【０１０３】
＜第２の実施の形態に係る穿孔パンチ１００を収納する態様について＞
図４１は、この発明の第２の実施の形態に係るパンチを平面視したときの断面図であり、穿孔パンチが引き出された状態を示す断面図である。図４２は、この発明の第２の実施の形態に係るパンチを平面視したときの断面図であり、穿孔パンチがハウジングに収納された状態を示す断面図である。また、ハウジング２０の収納空間２２Ｌから引き出された状態の第１の穿孔パンチ１００Ｌが、ハウジング２０に収納されるとき、まず、第１の穿孔パンチ１００Ｌに形成された土台後端突部５４２が、背板６０に形成された穿孔パンチ固定舌状部５２８の前面に形成された穿孔パンチ固定凹部５３０との嵌合を外され、穿孔パンチ固定舌状部５２８Ｌの前面に接触し、穿孔パンチ固定舌状部５２８を後方に撓ませながら左方向に移動する。次に、第１の穿孔パンチ１００Ｌに形成された土台後端突部５４２は、側板５０Ｌに形成された突部摺動凹部５０２内を摺動し、ハウジング２０に収納された状態となる。
【０１０４】
＜変形例につて＞
続いて、この発明の変形例に係るパンチについて説明する。なお、この変形例に係るパンチは、３つまたは４つの穿孔パンチが配設されることを除いて、上述した第１の実施の形態に係るパンチまたは第２の実施の形態に係るパンチと同様の構造を有する。したがって、同一部分には同じ参照番号を付し、同様となる説明は繰り返さない。
【０１０５】
図４４および図４５は、この発明の変形例に係るパンチの正面図である。図４４は、穿孔パンチが３つ配設される場合の変形例を示す図である。図４４（Ａ）が第１の変形例を示す図であり、図４４（Ｂ）が第２の変形例を示す図である。また、図４５は、穿孔パンチが４つ配設される場合の変形例を示す図である。図４５（Ａ）が第３の変形例を示す図であり、図４５（Ｂ）が第４の変形例を示す図である。図４６は、この発明の第５の変形例に係るパンチを示す正面図である。
【０１０６】
＜第１の変形例につて＞
図４４（Ａ）に示すように、この発明の第１の変形例に係るパンチ１０は、ハウジング２０の左側に配設される第１の穿孔パンチ１００Ｌと、右側に配設される第２の穿孔パンチ１００Ｒと、左右方向において、第１の穿孔パンチ１００Ｌおよび第２の穿孔パンチ１００Ｒの間に配設される第３の穿孔パンチ１００Ｔとを有する。ハウジング２０の左側の収納空間２２Ｌの左方に第１の穿孔パンチ１００Ｌが配設される。また、ハウジング２０の右側の収納空間２２Ｒの右方に第２の穿孔パンチ１００Ｒが配設され、且つ左方に第３の穿孔パンチ１００Ｔが配設される。そして、ハウジング２０の左側の収納空間２２Ｌの右方には、等間隔用空間６００が形成される。この等間隔用空間６００を形成することにより、第１の穿孔パンチ１００Ｌ，第２の穿孔パンチ１００Ｒ、第３の穿孔パンチ１００Ｔによって、被穿孔体Ｐに互いに等間隔の３つの綴じ孔をあけることができる。なお、右側の収納空間２２Ｒの左方を等間隔用空間６００としてもよい。
【０１０７】
＜第２の変形例について＞
図４４（Ｂ）に示すように、この発明の第２の変形例に係るパンチ１０は、ハウジング２０の左側に配設される第１の穿孔パンチ１００Ｌと、右側に配設される第２の穿孔パンチ１００Ｒと、左右方向において、第１の穿孔パンチ１００Ｌおよび第２の穿孔パンチ１００Ｒの間に配設される第３の穿孔パンチ１００Ｔとを有する。ハウジング２０の左側の収納空間２２Ｌに第１の穿孔パンチ１００Ｌが配設され、ハウジング２０の右側の収納空間２２Ｒに第２の穿孔パンチ１００Ｒが配設され、且つハウジング２０の中央の収納空間２２Ｃに第３の穿孔パンチ１００Ｔが配設される。収納空間２２Ｌ，２２Ｒ，２２Ｃは、第１〜第３の穿孔パンチ１００Ｌ，１００Ｒ，１００Ｔとほぼ同じ大きさ（体積）に形成される。すなわち、この第２の変形例に係るパンチ１０は、上述した第１の変形例に係るパンチ１０のような等間隔用空間６００が形成されない。したがって、よりコンパクトに穿孔パンチ１００をハウジング２０に収納することができる。
【０１０８】
＜第３の変形例について＞
図４５（Ａ）に示すように、この発明の第３の変形例に係るパンチ１０は、ハウジング２０の左側に配設される第１の穿孔パンチ１００Ｌと、右側に配設される第２の穿孔パンチ１００Ｒと、第１の穿孔パンチ１００Ｌの右方に隣接して配設される第３の穿孔パンチ１００Ｔと、第２の穿孔パンチ１００Ｒの左方に隣接して配設される第４の穿孔パンチ１００Ｆとを有する。また、第３の穿孔パンチ１００Ｔと、第４の穿孔パンチ１００Ｆとの間に、等間隔用空間６００が形成される。なお、等間隔用空間６００を空間とせず、直方体形状の物体とするようにしてもよい。こうすることにより、パンチ１０の強度を強めることができる。
【０１０９】
＜第４の変形例について＞
図４５（Ｂ）に示すように、この発明の第４の変形例に係るパンチ１０は、ハウジング２０の左側に配設される第１の穿孔パンチ１００Ｌと、右側に配設される第２の穿孔パンチ１００Ｒと、第１の穿孔パンチ１００Ｌの右方に隣接して配設される第３の穿孔パンチ１００Ｔと、第２の穿孔パンチ１００Ｒの左方に隣接して配設される第４の穿孔パンチ１００Ｆとを有する。また、第３の穿孔パンチ１００Ｔと、第４の穿孔パンチ１００Ｆとの間に、等間隔用空間６００が形成される。すなわち、この第４の変形例に係るパンチ１０は、上述した第３の変形例に係るパンチ１０のような等間隔用空間６００が形成されない。したがって、よりコンパクトに穿孔パンチ１００をハウジング２０に収納することができる。
【０１１０】
＜第５の変形例について＞
図４６に示すように、この発明の第５の変形例に係るパンチ１０は、上述した第３の変形例に係るパンチ１０のハンドル３００が２つに分かれている。すなわち、この発明の第５の変形例に係るパンチ１０は、左側に取り付けられる第１のハンドル３００Ｌと、右側に取り付けられる第２のハンドル３００Ｒとを有する。第１のハンドル３００Ｌは、第１の穿孔パンチ１００Ｌと、第３の穿孔パンチ１００Ｔとを接続するように取り付けられ、第１の穿孔パンチ１００Ｌと、第３の穿孔パンチ１００Ｔとを同時に穿孔操作するためのものである。第２のハンドル３００Ｒは、第２の穿孔パンチ１００Ｒと、第４の穿孔パンチ１００Ｆとを接続するように取り付けられ、第２の穿孔パンチ１００Ｒと、第４の穿孔パンチ１００Ｆとを同時に穿孔操作するためのものである。このように、少なくとも２つの穿孔パンチを接続するハンドルを複数設けてもよい。
【０１１１】
なお、たとえば、６つの穿孔パンチ１００を備えるパンチ１０の場合、６つ全ての穿孔パンチ１００を接続する一つのハンドル３００であってもよいし、左端部に配設される二つの穿孔パンチ１００を接続するように取り付けられる第１のハンドル３００Ｌと、右端部に配設される二つの穿孔パンチ１００を接続するように取り付けられる第２のハンドル３００Ｒと、中央部に配設される二つの穿孔パンチ１００を接続するように取り付けられる第３のハンドル３００Ｔとを備える態様であってもよい。さらに、左側の３つの穿孔パンチ１００を接続する第１のハンドル３００Ｌと、右側の３つの穿孔パンチ１００を接続する第２のハンドル３００Ｒとを備える態様であってもよい。さらに、左側の２つの穿孔パンチ１００を接続する第１のハンドル３００Ｌと、右側の４つの穿孔パンチ１００を接続する第２のハンドル３００Ｒとを備える態様であってもよいし、左側の４つの穿孔パンチ１００を接続する第１のハンドル３００Ｌと、右側の２つの穿孔パンチ１００を接続する第２のハンドル３００Ｒとを備える態様であってもよい。このように複数のハンドル３００を備えるパンチ１０とすることにより、複数のハンドル３００それぞれを別々に押下して穿孔を行うことができるため、より臨機応変に作業を行うことが可能となる。
【０１１２】
＜第３の実施の形態について＞
以下、この発明の第３の実施の形態に係るパンチについて、図面を参照しながら説明する。この実施の形態に係るパンチ１０は、収納部としてのハウジング２０と、用紙などの被穿孔体Ｐに綴じ孔を形成するための第１の穿孔パンチ１００Ｌ及び第２の穿孔パンチ１００Ｒと、第１の穿孔パンチ１００Ｌ及び第２の穿孔パンチ１００Ｒを互いに接続するように固定されたハンドル３００と、スイッチ２４０とを備える。なお、以下の説明において、ハウジング２０に収納された第１の穿孔パンチ１００Ｌ（及び第２の穿孔パンチ１００Ｒ）を引き出された側から見たときを正面視とし、ハウジング２０に取り付けられたスイッチ２４０の側から見たときを背面視とする。また、左右方向とは、第１の穿孔パンチ１００Ｌと第２の穿孔パンチ１００Ｒとを互いに結ぶ方向（すなわち、ハンドル３００が延在する方向）のことであり、前後方向とは、ハウジング２０から引き出された第１の穿孔パンチ１００Ｌ（及び第２の穿孔パンチ１００Ｒ）が延出する方向のことであり、上下方向とは、左右方向及び前後方向の交わる平面（すなわち、パンチ１０の載置面に平行な面）に直交する方向のことである。
【０１１３】
＜第３の実施の形態に係るハウジング２０について＞
図４７〜５９は、この実施の形態に係るハウジングについて示す図である。図４７は、この発明の第３の実施の形態に係るパンチが備えるハウジングを示す平面図である。図４８は、この発明の第３の実施の形態に係るパンチが備えるハウジングを示す底面図である。図４９は、この発明の第３の実施の形態に係るパンチが備えるハウジングを示す正面図である。図５０は、この発明の第３の実施の形態に係るパンチが備えるハウジングを示す背面図である。図５１は、この発明の第３の実施の形態に係るパンチが備えるハウジングの図４９に示すＬＩ−ＬＩ断面図である。図５２は、この発明の第３の実施の形態に係るパンチが備えるハウジングの図４９に示すＬＩＩ−ＬＩＩ断面図である。図５３は、この発明の第３の実施の形態に係るパンチが備えるハウジングの図４９に示すＬＩＩＩ−ＬＩＩＩ断面図である。図５４は、この発明の第３の実施の形態に係るパンチが備えるハウジングの図５３に示すＬＩＶ部の拡大図である。図５５は、この発明の第３の実施の形態に係るパンチが備えるハウジングの図４９に示すＬＶ−ＬＶ断面図である。図５６は、この発明の第３の実施の形態に係るパンチが備えるハウジングの図４９に示すＬＶＩ−ＬＶＩ断面図である。図５７は、この発明の第３の実施の形態に係るパンチが備えるハウジングの図４９に示すＬＶＩＩ−ＬＶＩＩ断面図である。図５８は、この発明の第３の実施の形態に係るパンチが備えるハウジングの図４９に示すＬＶＩＩＩ−ＬＶＩＩＩ断面図である。図５９は、この発明の第３の実施の形態に係るパンチが備えるハウジングの図４９に示すＬＩＩ−ＬＩＩ断面図である。
【０１１４】
この実施の形態に係るハウジング２０は、ＡＢＳ樹脂などの合成樹脂により形成されることが好ましい。ハウジング２０は、第１の穿孔パンチ１００Ｌ及び第２の穿孔パンチ１００Ｒをその内部に出し入れ可能に収納するものである。ハウジング２０は、その前面が開放された中空の略直方体形状である。すなわち、ハウジング２０は、底板３０と、底板３０の左端縁から立ち上がる左側板５０Ｌと、底板３０の右端縁から立ち上がる右側板５０Ｒと、底板３０の後端縁から立ち上がる背板６０と、底板３０と上下方向において相対するように配設された天板８０とを有する。
【０１１５】
＜底板３０について＞
ハウジング２０の底板３０は、左右方向に延在する略長方形状であり、左側板５０Ｌの近傍に形成される左回転軸取付け孔３２Ｌと、右側板５０Ｒの近傍に形成される右回転軸取付け孔３２Ｒと、左右方向において略中央に形成される仮固定部３４とを有する。左回転軸取付け孔３２Ｌは、第１の穿孔パンチ１００Ｌを回転可能に支持するための回転軸４００を底板３２に取り付けるために形成される。左回転軸取付け孔３２Ｌは、底面視（及び平面視）略円形状である。右回転軸取付け孔３２Ｒは、ハウジング２０の左右方向における略中央を前後方向に延びるように配設された仕切り板２４に関して、左回転軸取付け孔３２Ｌと面対称である。したがって、ここでは同様となる説明を繰り返さない。
【０１１６】
保持部３４（保持手段）は、ハウジング２０の内部に収納された第１の穿孔パンチ１００Ｌ及び第２の穿孔パンチ１００Ｒを保持するために設けられる。保持部３４は、底板３０の前端縁の近傍を根元として、底板３０の後端縁の近傍まで延びる舌状部３６と、舌状部３６の外縁の根元である前端縁を除いた部分に沿って穿設された舌状外縁孔４０とを有する。舌状部３６は、その根元である前端縁から後方に延びる略四角形状の舌状部先端３６ａと、舌状部先端３６ａの後端縁の左右方向における略中央からさらに後方に向けて突設される略四角形状の舌状先端部３６ｂとを含む。
【０１１７】
舌状部３６の厚み（すなわち、上下方向の寸法）は、ハウジング２０の底板３０のそれよりも薄く形成され、舌状部３６の上面が底板３０の上面と同じ高さであり、舌状部３６の底面が底板３０の底面よりも上方に位置する。舌状部先端３６ａの上面には、その左後ろの角部近傍に突部３８Ｌが突設され、その右後ろの角部近傍に突部３８Ｒが突設される。突部３８Ｌと突部３８Ｒは、ハウジング２０の左右方向における略中央を前後方向に延びるように配設された仕切り板２４に関して面対称である。突部３８Ｌ、３８Ｒは、平面視略四角形状であり、その前端縁が底板３０の上面と同じ高さに位置する。突部３８Ｌ、３８Ｒは、その前端縁から後端縁になるほど高くなるように傾斜し、その後端縁で屈曲して下方へと延びる略三角柱形状である。突部３８Ｌ、３８Ｒの後端縁（または後端面）と舌状部先端３６ａの後端縁（または後端面）とは、前後方向において同じ位置であり、且つ上下方向において略直線状に連なって形成される。
【０１１８】
舌状部３６は、上記したように、底板３０の前端縁の近傍を根元として底板３０の後端縁の近傍まで延び、また、舌状部３６の前端縁を除いた部分の外縁に沿って、舌状外縁孔４０が形成される。したがって、底板３０の前端縁およびその近傍のうち、舌状部３６の前端縁に沿った部分には、底板３０の舌状部３６（および舌状外縁孔４０）の左側の部分と右側の部分とを一体的に接続するように、底板前端接続部４６が形成される。また、底板３０の後端縁およびその近傍のうち、舌状部３６（および舌状外縁孔４０）の後端縁に沿った部分には、底板３０の舌状部３６（および舌状外縁孔４０）の左側の部分と右側の部分とを一体的に接続するように、後端接触防止部４８が形成される。底板前端接続部４６および後端接触防止部４８それぞれの底面は、ハウジング２０の底板３０の底面とフラットな態様で一体的に形成される。
【０１１９】
さらに、舌状部３６の上面には、その左右方向における略中央を前後方向に延びるように前後方向リブ部３７が突設される。前後方向リブ部３７は、その左右方向の寸法がハウジング２０の仕切り板２４のそれと同じかまたはほぼ同じであり、且つその上下方向の寸法が舌状部３６に突設された突部３８Ｌ、３８Ｒのそれよりもやや小さい。
【０１２０】
＜左側板５０Ｌおよび右側板５０Ｒについて＞
ハウジング２０の左側板５０Ｌと右側板５０Ｒとは、ハウジング２０の略中央に形成された仕切り板２４に関して互いに面対称であり、同様の形状を有する。したがって、ここでは左側板５０Ｌについてのみ説明し、右側板５０Ｒについての同様となる説明は繰り返さない。左側板５０Ｌの内壁５０ｓの上下方向の略中央には、略平板状の台座５２Ｌが突設される。台座５２Ｌは、付勢手段としてのバネ部材４１０Ｌを載置するために設けられる。台座５２Ｌは、ハウジング２０の底板３０（および天板８０）と平行になるように配設される。また、台座５２Ｌは平面視略四角形状であり、その左端縁が左側板５０Ｌの内壁５０ｓと一体的に形成され、且つその後端縁が背板６０の内壁６０ｓと一体的に形成される。そして、台座５２Ｌは、平面視したとき、その前端縁が底板３０の前端縁と回転軸取付け孔３２Ｌとの間を左右方向に延びるように形成され、且つその右端縁が回転軸取付け孔３２Ｌの右側を前後方向に延びるように形成される。そして、台座５２Ｌの前端縁と右端縁とにより形成される角部の近傍には、回転軸４００Ｌが通り抜けるための回転軸取付け孔５４Ｌが形成される。回転軸取付け孔５４Ｌは、平面視したとき、底板３０に形成された回転軸取付け孔３２Ｌと重なるように形成される。すなわち、台座５２Ｌの回転軸取付け孔５４Ｌと、底板３０の回転軸取付け孔３２Ｌとは、左右方向と前後方向が交わる面において同じ位置に形成される。
【０１２１】
この実施の形態に係る台座５２Ｌは、その前端縁において上方に向けて突設されたバネ位置決め部５６を有する。バネ位置決め部５６は、台座５２Ｌの前端縁において左右方向に延びるように形成される。
【０１２２】
この実施の形態に係る左側板５０Ｌの内壁５０ｓには、その前端縁において揺動抑制部５８Ｌが突設される。揺動抑制部５８Ｌは、ハウジング２０から引き出された状態の穿孔パンチ１００Ｌが揺動することを抑制するために設けられる。揺動抑制部５８Ｌは、左側板５０Ｌの内壁５０ｓの前端縁における下端部から台座５２Ｌとほぼ同じ高さまでを上下方向に延びるように形成される。
【０１２３】
＜背板６０について＞
背板６０は、ハウジング２０の略中央に形成された仕切り板２４に関して面対称である。したがって、ここでは特に必要な場合を除き、背板６０の左側部分の構造についてのみ説明し、右側部分の同様となる説明は繰り返さない。ハウジング２０の背板６０の内壁の左側部分には、上記したように、台座５２Ｌの後端縁が一体的に形成される。位置決め部６２Ｌは、台座５２Ｌの右端縁の上端から右方向に延びるように形成された下方位置決め部６４Ｌと、下方位置決め部６４Ｌの上方に下方位置決め部６４Ｌに沿って右方向に延びるように形成された上方位置決め部６６Ｌとを有する。後述するバネ部材４１０Ｌの下方延在部４１４Ｌは、下方位置決め部６４Ｌと上方位置決め部６６Ｌとの間に配設されることによって位置決めされる。下方位置決め部６４Ｌの上面と、台座５２Ｌの上面とは、上下方向において同じ位置になるように形成される。下方位置決め部６４Ｌは、その前端縁の左右方向の略中央よりもやや左側板５０Ｌに近い部分に前方へと突出する左突起部５９Ｌを有する。左突起部５９Ｌの上面は、下方位置決め部６４Ｌの他の部分の上面とフラットになるように一体的に形成される。下方位置決め部６４Ｌは、その左端部から左突起部５９Ｌの右端部までの上下方向の寸法が、左突起部５９Ｌの右端部よりも右側の部分のそれよりも大きくなるように形成される。
【０１２４】
背板６０の左右方向における略中央には、後述するスイッチ２４０を取り付けるためのスイッチ取付け部７０が上下方向に延びて形成される。スイッチ取付け部７０の左右方向の寸法は、上述した底板３０に形成される舌状部３６のそれよりもやや大きい。スイッチ取付け部７０は、背板６０の上端縁から下端縁の近傍の位置まで上下方向にのびるスイッチ胴体取付け部７２を有する。スイッチ胴体取付け部７２は、正面から見たとき、略Ｉ字形状である。すなわち、スイッチ胴体取付け部７２は、その左端縁における上端および下端を除いた部分が上下方向にのびて矩形状に切り欠かれ、且つその右端縁も同様に矩形状に切り欠かれた形状である。
【０１２５】
この実施の形態に係るスイッチ胴体取付け部７２の下端縁は、前述したハウジング２０の底板３０の上面と同じ高さに位置する。そして、このスイッチ胴体取付け部７２には、その下端縁の左右方向における略中央から上方に向けて略四角形状に切り欠かれることによりスイッチ下端取付け切欠き部７４が形成される。ハウジング２０の背板６０に形成されたスイッチ下端取付け部７４は、略四角形状であり、その左右方向の寸法は、舌状部３６に形成された左突起部５９Ｌの右端縁と、右突起部５９Ｒの左端縁とが離間する距離と同じである。スイッチ胴体取付け部７２の厚み（すなわち、前後方向の寸法）は、背板６０の厚みとほぼ等しい。なお、スイッチ胴体取付け部７２の前面は、背板６０の内壁よりもやや前方にのり出して形成され、スイッチ胴体取付け部７２の背面は、背板６０の外壁よりもやや前方にのり出して形成される。スイッチ胴体取付け部７２の左端縁および右端縁それぞれの上方部分および下方部分は、背板６０の内壁と一体的に形成される。また、スイッチ胴体取付け部７２の上端縁は、天板８０の内壁と一体的に形成される。スイッチ胴体取付け部７２の上端縁は、その上下方向の位置が、背板６０の上端縁と同じである。
【０１２６】
スイッチ胴体取付け部７２の前面の左右方向における略中央には、ハウジング２０に形成された収納空間２２を二分割するための仕切り板２４が配設される。この仕切り板２４により仕切られた左側の収納空間２２Ｌに第１の穿孔パンチ１００Ｌが収納され、右側の収納空間２２Ｒに第２の穿孔パンチ１００Ｒが収納される。仕切り板２４の後端面は、スイッチ胴体取付け部７２の前面と一体的に形成される。また、仕切り板２４の前端面は、底板３０の前端面と上下方向において略一直線状になるように形成される。仕切り板２４の下方部分には、その後端縁から前端縁の近傍までを前後方向に切欠くように略矩形状の切欠部２８が形成される。この切欠部２８の上下方向の寸法は、舌状部３６に形成された左突起部５９Ｌおよび右突起部５９Ｒの上下方向の寸法よりも大きい。仕切り板２４の下方部分の切り欠かれていない前方部分の下端縁は、底板３０の内壁と一体的に形成される。
【０１２７】
＜天板８０について＞
ハウジング２０の天板８０は、仕切り板２４に関して面対称である。したがって、ここでは天板８０の左側の構成についてのみ説明し、右側の同様となる説明は繰り返さない。天板８０の前端縁には、左端縁の近傍から後方に向けて抉るように形成された切欠部８８Ｌが形成される。切欠部８８Ｌは、天板８０の前端縁から後方にのびる矩形状の部分と、矩形状の部分の後端に一体的に形成された半円状の部分とからなる。切欠部８８Ｌの半円状の部分は、その中心が、平面視したとき、上述した底板３０に形成された回転軸取付け孔３２Ｌ、および台座５２Ｌに形成された回転軸取付け孔５４Ｌと同じ位置になるように形成される。すなわち、底板３０の回転軸取付け孔３２Ｌと、台座５２Ｌの回転軸取付け孔５４Ｌと、天板８０の切欠部８８Ｌとが上下方向に連なった態様となる。天板８０の切欠部８８Ｌの右端縁と、天板８０の前端縁とで形成される角部には、突部８２Ｌが突設される。なお、この実施の形態に係る突部８２Ｌの左右方向の寸法は、上記した第１および第２の実施の形態に係るパンチ１０の突部８２Ｌよりも大きく形成される。
【０１２８】
＜第３の実施の形態に係る穿孔パンチ１００について＞
第３の実施の形態に係るパンチ１０は、一度に二つの綴じ孔を穿孔するために、ハウジング２０の左側部分に出し入れ可能に取り付けられた第１の穿孔パンチ１００Ｌと、右側部分に出し入れ可能に取り付けられた第２の穿孔パンチ１００Ｒとを備える。なお、第１の穿孔パンチ１００Ｌと、第２の穿孔パンチ１００Ｒとは、ハウジング２０に形成された仕切り板２４に関して面対称であり、同様の構造を有する。したがって、以下の説明では特に必要な場合を除き、第１の穿孔パンチ１００Ｌについてのみ説明し、第２の穿孔パンチ１００Ｒについての同様となる説明は繰り返さない。
【０１２９】
穿孔パンチ１００は、前後方向にのび、用紙などの被穿孔体Ｐの一部を載置するための土台１１０と、穿孔刃４５０を略上下方向に動作させるためのレバー１７０と、レバー１７０が穿孔を行うときの動作の支点となる支点シャフト４２０Ｆと、穿孔刃４５０を支持するための穿孔刃支持シャフト４２０Ｓと、穿孔刃支持シャフト４２０Ｓに支持され、穿孔刃支持シャフト４２０Ｓとともに略上下方向に移動可能な穿孔刃４５０と、前後方向にのび、用紙などの被穿孔体Ｐを穿孔する際に生じる紙屑などを収納するためのダストボックス２１０と、レバー４０を略上方に付勢し、かつ穿孔パンチ１００をハウジング２０の収納空間２２の外側に向けて付勢する付勢手段としてのバネ部材４１０とを有する。
【０１３０】
＜土台１１０について＞
図６０は、この発明の第３の実施の形態に係るパンチが備える穿孔パンチの土台を示す平面図である。図６１は、この発明の第３の実施の形態に係るパンチが備える穿孔パンチの土台を示す側面図である。図６２は、この発明の第３の実施の形態に係るパンチが備える穿孔パンチの土台の図６０に示すＬＸＩＩ−ＬＸＩＩ断面図である。この実施の形態に係る土台１１０は、被穿孔体Ｐが載置されるベース部１１２と、レバー１７０が取り付けられるレバー取付け部１３０と、ベース部１１２とレバー取付け部１３０とを一体的に接続し、且つ回転軸４００が取り付けられる回転軸取付け部１６０とを有する。
【０１３１】
＜ベース部１１２について＞
ベース部１１２は、正面から見たとき、前方および下方の開放された略逆Ｕ字形状である。すなわち、ベース部１１２は、前後方向にのび、その上面に被穿孔体Ｐが載置される平板状のベース天部１１４と、ベース天部１１４の左端縁から下方向へと延びる板状のベース側部１２４Ｌと、ベース天部１１４の右端縁から下方向へと延びるベース側部１２４Ｒとを有する。ベース天部１１４の上面は、用紙などの被穿孔材Ｐを安定して載置できるように平坦に形成される。ベース天部１１４の内壁の前端縁の近傍には、ダストボックス２１０を嵌合する際に雄部材となる嵌合雄板１１６が左右方向に延びて突設される。また、ベース天部１１４の略中央には、平面視略円形状の穿孔用孔１１８が形成される。上下動する穿孔刃４５０が穿孔用孔１１８を通り抜けることにより、ベース天部１１４の上面に載置された被穿孔材Ｐに穿孔することができる。また、被穿孔材Ｐを穿孔した際に生じる紙屑が、ベース天部１１４の上面から穿孔用孔１１８を通り抜け、下方に配設されたダストボックス２１０へと落下する。
【０１３２】
ベース側部１２４Ｌとベース側部１２４Ｒとは、土台１１０の左右方向の略中央を通り前後方向に延びる面に関してほぼ面対称であり、ほぼ同様の形状を有する。したがって、ここでは特に必要な場合を除いて、ベース側板１２４Ｌについてのみ説明し、ベース側板１２４Ｒの同様となる説明は繰り返さない。ベース側板１２４Ｌの内壁における下端縁には、前端部から後方へと延びるように略直方体形状の嵌合凹部１２６Ｌが形成される。嵌合凹部１２６Ｌの左側の側壁は、ベース部１１２を正面視したとき、その上端部からやや右側へと傾斜して下方向にのびる。すなわち、嵌合凹部１２６Ｌは、上方から下方になるほど徐々に左右方向の寸法が小さくなるように形成される。また、ベース部１１２の後方をカバーするように、回転軸取付け部１６０が一体的に形成される。
【０１３３】
＜レバー取付け部１３０について＞
レバー取付け部１３０は、ベース部１１２の上方に形成される。レバー取付け部１３０の底面は、ベース天部１１４の上面と上下方向に所定の距離だけ離間して平行に対向する。すなわち、レバー取付け部１３０の底面と、ベース天部１１４の上面との間には前後方向に延びる間隙が形成される。レバー取付け部１３０の前端面は、ベース部１１２の前端面よりも後方に位置するように形成される。また、レバー取付け部１３０は、その左右方向の寸法（すなわち、幅方向の寸法）が、ベース部１１２のそれよりも小さく形成される。そして、レバー取付け部１３０は、平面視したとき、ベース部１１２の左右方向における中央を前後方向にのびるように形成される。レバー取付け部１３０は、その前端部から後端部へと向かう順に、前後方向摺動受け部１３２と、上下方向摺動受け部１４２と、根元接続部１５２とを有する。前後方向摺動受け部１３２、上下方向摺動受け部１４２および根元接続部１５２は一体的に形成される。
【０１３４】
＜前後方向摺動受け部１３２について＞
前後方向摺動受け部１３２は、前方および上方が開放された略箱型の形状を有し、正面から見ると、略Ｕ字形状である。すなわち、レバー取付け部１３０の前後方向摺動受け部１３２は、前後方向摺動受け底板１３４と、前後方向摺動受け底板１３４の左端縁から立ち上がる前後方向摺動受け側板１３６Ｌと、前後方向摺動受け底板１３４の右端縁から立ち上がる前後方向摺動受け側板１３６Ｒと、前後方向摺動受け底板１３４の後端縁から立ち上がる前後方向摺動受け背板とを有する。なお、前後方向摺動受け背板は、後述する上下方向摺動受け前板１４４でもある。
【０１３５】
前後方向摺動受け底板１３４の前端面は、上端縁が下端縁よりも前方に位置するように傾斜して形成される。これにより、レバー取付け部１３０の底面と、ベース天部１１４の上面との間に形成された前後方向に延びる間隙へと被穿孔体Ｐを容易に案内することができる。すなわち、前述した間隙に被穿孔体Ｐを差し込みやすくなる。また、前後方向摺動受け底板１３４の底面には、その前端縁に略三角柱形状の突部１３５が形成される。突部１３５は、左右方向に延びて形成される。この突部１３５により、ベース天部１１４の上面に載置された被穿孔体Ｐの動きを抑制することができる。
【０１３６】
前後方向摺動受け側板１３６Ｌおよび前後方向摺動受け側板１３６Ｒは、互いに同様の形状を有するため、ここでは前後方向摺動受け側板１３６Ｌについてのみ説明し、前後方向摺動受け側板１３６Ｒの同様となる説明は繰り返さない。前後方向摺動受け側板１３６は、その前端縁から後方へと抉るように形成された前後方向摺動切欠き１３８が形成される。前後方向摺動切欠き１３８は、前後方向摺動受け側板１３６の前端面から後方に向かって矩形状にのび、その後端が略円弧状に形成される。この前後方向摺動切欠き１３８の内部を、後述する支点シャフト４２０Ｆが前後方向に摺動する。
【０１３７】
＜上下方向摺動受け部１４２について＞
レバー取付け部１３０の上下方向摺動受け部１４２は、上下方向に貫通した平面視略円形状の孔を有する。上下方向摺動受け部１４２は、平面視略円弧状の上下方向摺動受け前板１４４と、平面視略円弧状の上下方向摺動受け背板１４６と、左側の上下方向摺動受け側板１４８Ｌと、右側の上下方向摺動受け側板１４８Ｒとを有する。この上下方向に貫通した孔を穿孔刃移動空間１５０とする。穿孔刃移動空間１５０の内部を穿孔刃４５０が上下方向に移動する。穿孔刃移動空間１５０は、上述したベース天部１１４の上面に形成された穿孔用孔１１８の真上に形成される。
【０１３８】
上下方向摺動受け側板１４８Ｌおよび上下方向摺動受け側板１４８Ｒは同様の形状を有するため、ここでは上下方向摺動受け側板１４８Ｌについてのみ説明し、上下方向摺動受け側板１４８Ｒの同様となる説明は繰り返さない。上下方向摺動受け側板１４８Ｌには、上下方向にのびる上下方向摺動切欠き１４９が形成される。上下方向摺動切欠き１４９は、略矩形状である。上下方向摺動切欠き１４９は、その上端および下端が略円弧状に形成される。上下方向摺動切欠き１４９の内部を、後述する穿孔刃支持シャフト４２０Ｓが上下方向に摺動する。穿孔刃支持シャフト４２０Ｓには、穿孔刃４５０が取り付けられる。すなわち、穿孔刃支持シャフト４２０Ｓが上下方向摺動切欠き１４９の内部を上下方向に摺動することにより、穿孔刃４５０が穿孔刃移動空間１５０の内部を上下方向に移動する。
【０１３９】
＜根元接続部１５２について＞
レバー取付け部１３０の根元接続部１５２は、その後方および上方の開放された略箱型の形状を有し、背面側から見ると、略Ｕ字形状である。すなわち、根元接続部１５２は、根元接続底板１５４と、根元接続底板１５４の左端縁から立ち上がる根元接続側板１５６Ｌと、根元接続底板１５４の右端辺から立ち上がる根元接続側板１５６Ｒと、根元接続底板１５４の前端縁から立ち上がる根元接続前板とを有する。なお、根元接続部１５２の根元接続前板は、上下方向摺動受け部１４２の上下方向摺動受け背板１４６でもある。根元接続底板１５４は、その後端部が、回転軸取付け部１６０の上面の前端部と一体的に形成される。
【０１４０】
根元接続側板１５６Ｌおよび根元接続側板１５６Ｒは同様の形状を有するため、ここでは根元接続側板１５６Ｌについてのみ説明し、同様となる根元接続側板１５６Ｒの説明は繰り返さない。根元接続側板１５６Ｌは、その上下方向の寸法が前方から後方に向かって徐々に小さくなるように形成される。すなわち、根元接続側板１５６Ｌは、側面の側から見ると、前方から後方に向かって斜め下に延びて形成される。根元接続側板１５６Ｌは、その後端部が、回転軸取付け部１６０の上面の前端部と一体的に形成される。
【０１４１】
この実施の形態に係る根元接続側板１５６Ｌの左面（外面）には、その下端縁に沿って前後方向に延びるように外側リブ部１５８が突設される。また、根元接続側板１５６Ｒの右面には、その下端縁に沿って前後方向に延びるように内側リブ部１５９が突設される。外側リブ部１５８の前端縁の前後方向の位置は、穿孔パンチ１００Ｌがハウジング２０に収納された状態のとき、底板３０（および天板８０）の前端縁の前後方向の位置と一致する。なお、外側リブ部１５８の厚み（すなわち、左右方向の寸法）はその前端部を除いて一定である。内側リブ部１５９は、その前方部分の厚み（すなわち、左右方向の寸法）が後方部分のそれに比べて薄くなるように形成される。内側リブ部１５９の後方部分の厚みは、外側リブ部１５８の厚みと同じである。
【０１４２】
なお、前後方向摺動受け側板１３６と、上下方向摺動受け側板１４８と、根元接続側板１５６とは、一枚板であり、一体的に形成される。すなわち、前後方向摺動受け側板１３６と、上下方向摺動受け側板１４８と、根元接続側板１５６とが、レバー取付け部１３０の側板である。
【０１４３】
＜回転軸取付け部１６０について＞
回転軸取付け部１６０は、ベース部１１２の後端部に一体的に形成され、略直方体形状である。回転軸取付け部１６０は、ベース部１１２のベース側部１２４Ｌ及びベース側部１２４Ｒに続く側部を備え、その側部は、ベース側部１２４Ｌ及びベース側部１２４Ｒの下端縁に連続する下端縁を備える。回転軸取付け部１６０の底面には、その前端縁から後端辺の近縁まで前後方向にのびる凹部１６２が形成される。凹部１６２の上壁には、その前方部の左右方向の両端辺それぞれに、上下方向にのびる平面視略矩形状の左側の矩形穴１６４Ｌ及び右側の矩形穴１６４Ｒが形成される。また、凹部１６２の上壁には、左側の矩形穴１６４Ｌ及び右側の矩形穴１６４Ｒの後方に、回転軸取付け部１６０の上面まで貫通する平面視略円形状の回転軸取付け孔１６６が形成される。この回転軸取付け孔１６６に、回転軸４００が通される。回転軸取付け部１６０の前面の上方部分が、上記したベース部１１２の後端部およびレバー取付け部１３０の後端部と一体的に形成される。
【０１４４】
＜レバー１７０について＞
図６３は、この発明の第３の実施の形態に係るパンチが備える穿孔パンチのレバーを示す平面図である。図６４は、この発明の第３の実施の形態に係るパンチが備える穿孔パンチのレバーを示す側面図である。図６５は、この発明の第３の実施の形態に係るパンチが備える穿孔パンチのレバーを示す底面図である。図６６は、この発明の第３の実施の形態に係るパンチが備える穿孔パンチのレバーの図６３に示すＬＸＶＩ−ＬＸＶＩ断面図である。図６７は、この発明の第３の実施の形態に係るパンチが備える穿孔パンチのレバーの図６４に示すＬＸＶＩＩ−ＬＸＶＩＩ断面図である。
【０１４５】
レバー１７０は、その下方が開放された中空の略直方体形状である。レバー１７０は、レバー天板１７２と、レバー天板１７２の左端縁から下方へと延びるレバー側板１８２Ｌと、レバー天板１７２の右端縁から下方へと延びるレバー側板１８２Ｒと、レバー天板１７２の前端縁から下方へと延びるレバー前板１８８と、レバー天板１７２の後端縁から下方へと延びた平面視略円弧状のレバー背板１９２とを有する。レバー天板１７２の後端部には、円筒状のハンドル取付け部１７４が突設される。ハンドル取付け部１７４には、上下方向に貫通してハンドル取付け軸孔１７８が形成される。
【０１４６】
この実施の形態に係るハンドル取付け軸孔１７８内の上方部分には、ハンドル取付け可撓部１７６が形成される。ハンドル取付け可撓部１７６は、ハンドル取付け軸孔１７８と同軸の略円筒形状である。ハンドル取付け可撓部１７６は、その上端部分の外壁がハンドル取付け軸孔１７８の上端部分の内壁と一体的に形成され、そこからハンドル取付け軸孔１７８の内部を略下方へと延びる。ハンドル取り付け軸孔１７８は、下方になるほど、その直径（内径および外径）が小さくなるように形成される。すなわち、ハンドル取付け可撓部１７６は、ハンドル取付け軸孔１７８の内壁と一体的に形成される上端部分を除いた部分が、径方向において、ハンドル取付け軸孔１７８の内壁と離間し、下方になるほどその距離が大きくなる。そして、ハンドル取付け可撓部１７６は、その内壁側から軸方向の外側へと向かう方向に外力を加えられた場合、ハンドル取付け軸孔１７８の内壁と一体的に形成された上端部分を除いた部分が径方向の外側へと（すなわち、ハンドル取付け軸孔１７８の内壁側へと）撓むことができ、弾力性を有する。すなわち、ハンドル取付け可撓部１７６は、後述するハンドル３００の底面に突設されるハンドル突部３９２が挿入される際、その内壁側から軸方向の外側へと向かう方向に外力を加えられ、径方向の外側へと（すなわち、ハンドル取付け軸孔１７８の内壁側へと）撓む。そして、ハンドル取付け可撓部１７６は、変形前の状態に戻ろうとする径方向の内側への復元力によって、ハンドル突部３９２を固定する。
【０１４７】
この実施の形態に係るレバー天板１７２の底面（すなわち、内壁）には、厚み方向（すなわち、左右方向）の略中央をハンドル取付け軸孔１７８の前端辺りから前方へと延びて略平板状のバネ誤配設防止板１８０が形成される。バネ誤配設防止板１８０は、その下端縁と後端縁とで形成される角部が切り落とされたような形状を有する。すなわち、バネ誤配置防止板１８０の後端縁は、レバー天板１７２の内壁から下方へと略直線状に延びたあと前方へと屈曲し、傾斜してさらに下方へと略直線状に延びる。
【０１４８】
レバー側板１８２Ｌおよびレバー側板１８２Ｒは、厚み方向（すなわち、左右方向）の略中央を通り前後方向に延びる面に関して面対称である。したがって、ここではレバー側板１８２Ｌについてのみ説明し、レバー側板１８２Ｒの同様となる説明は繰り返さない。レバー側板１８２Ｌは、前端縁から前後方向の略中央辺りまでの前方部の上下方向の寸法が、後方部の上下方向の寸法よりも大きく形成される。レバー側板１８２Ｌの前方部には、二つのシャフト取付け孔１８４が前後方向に所定の距離だけ離れて形成される。前方のシャフト取付け孔１８４に支点シャフト４２０Ｆが取り付けられ、後方のシャフト取付け孔１８４に、穿孔刃支持シャフト４２０Ｓが取り付けられる。
【０１４９】
＜ハンドル３００について＞
【０１５０】
＜ハンドル３００について＞
図６８は、この発明の第３の実施の形態に係るパンチが備えるハンドルを示す平面図である。図６９は、この発明の第３の実施の形態に係るパンチが備えるハンドルを示す正面図である。図７０は、この発明の第３の実施の形態に係るパンチが備えるハンドルを示す底面図である。図７１は、この発明の第３の実施の形態に係るパンチが備えるハンドルを示す図６９のＬＸＸＩ−ＬＸＸＩ断面図である。図７２は、この発明の第３の実施の形態に係るパンチが備えるハンドルを示す図７０のＬＸＸＩＩ−ＬＸＸＩＩ断面図である。
【０１５１】
この実施の形態に係るハンドル３００は、ＡＢＳ樹脂などの合成樹脂により形成されることが好ましい。ハンドル３００は、第１の穿孔パンチ１００Ｌ及び第２の穿孔パンチ１００Ｒそれぞれを穿孔操作するためのものである。ハンドル３００は、左右方向に延びる平面視略矩形状のハンドル天板３１０と、ハンドル天板３１０の左端縁から下方へと延びる左側のハンドル側板３３０Ｌと、ハンドル天板３１０の右端縁から下方へと延びる右側のハンドル側板３３０Ｒと、ハンドル天板３１０の前端縁から下方へと延びるハンドル前板３５０と、ハンドル天板３１０の後端縁から下方へと延びるハンドル背板３７０とを有する。
【０１５２】
すなわち、ハンドル３００は、下方の開放された中空の略直方体形状である。なお、ハンドル天板３１０を平面視したときの外形（スイッチ上端挿入部３１２などの切り欠かれた部分を除く）は、ハウジング２０を平面視したときの外形（左側の切欠部８８Ｌ及び右側の切欠部８８Ｒなどを除く）とほぼ等しい。
【０１５３】
ハンドル３００は、一方の穿孔パンチ１００Ｌと他方の穿孔パンチ１００Ｒとの間に架け渡される長さを備えている。ハンドル天板３１０は、その背面における左右方向の略中央に、ハンドル前板３５０の方向に凹む平面視略矩形状のスイッチ上端挿入部３１２が形成される。このスイッチ上端挿入部３１２に、後述するスイッチ２４０の上端部が挿入される。ハンドル天板３１０は、その内壁の左端縁の近傍に、下方へと突出するハンドル突部３８０Ｌが形成される。また、ハンドル突部３８０Ｌの左右対称の位置に、ハンドル突部３８０Ｌと同様の形状のハンドル突部３８０Ｒが突設される。左側のハンドル突部３８０Ｌ及び右側のハンドル突部３８０Ｒそれぞれは同じ形状を有するため、ここでは、左側のハンドル突部３８０Ｌのみについて説明し、右側のハンドル突部３８０Ｒの同様となる説明は繰り返さない。
【０１５４】
ハンドル突部３８０Ｌは、ハンドル突部軸孔３８２を有する略円筒状に形成される。また、ハンドル突部３８０Ｌの先端には、その周方向にわたって、外径方向に突出する突部３８６Ｌが形成される。ハンドル突部３８０Ｌは、上述したような形状を有することにより、その内径方向に撓むことができる。
【０１５５】
＜スイッチ２４０について＞
図７３は、この発明の第３の実施の形態に係るパンチが備えるスイッチを示す平面図である。図７４は、この発明の第３の実施の形態に係るパンチが備えるスイッチを示す正面図である。図７５は、この発明の第３の実施の形態に係るパンチが備えるスイッチを示す側面図である。図７６は、この発明の第３の実施の形態に係るパンチが備えるスイッチを示す図７４のＬＸＸＶＩ−ＬＸＸＶＩ断面図である。
【０１５６】
この実施の形態に係るスイッチ２４０は、ＡＢＳ樹脂などの合成樹脂により形成されることが好ましい。スイッチ２４０は、ハウジング２０に収納された第１の穿孔パンチ１００Ｌ及び第２の穿孔パンチ１００Ｒをワンタッチでハウジング２０から引き出された状態に切り替えるためのものである。スイッチ２４０は、上下方向にのびる板状のスイッチ板部２４２と、スイッチ板部２４２の左端縁における上下方向の略中央に上下方向にのびるように突設された左側のスライド突部２４４Ｌと、左側のスライド突部２４４Ｌと同じ形状を有し、スライド突部２４４Ｌと左右対称の位置に形成されたスライド突部２４４Ｒと、スイッチ板部２４２の下端縁から前方へと立ち上がるように形成されたスイッチ下端突部２５０と、スイッチ板部２４２の上端辺から前方へと立ち上がるように形成されたスイッチ上端突部２６０とを有する。左側のスライド突部２４４Ｌ、右側のスライド突部２４４Ｒ、スイッチ下端突部２５０およびスイッチ上端突部２６０は、すべて、スイッチ板部２４２から前方向に突出するように形成される。
【０１５７】
左側のスライド突部２４４Ｌ及び右側のスライド突部２４４Ｒそれぞれは、その先端に、スイッチ板部２４２の外方向に突出する平面視略直角三角形の左側のスライド係合部２４５Ｌ及び右側のスライド係合部２４５Ｒが形成される。
【０１５８】
スライド突部２４４Ｌ，２４４Ｒそれぞれは、その先端に、スイッチ板部２４２の外方向に突出する平面視略直角三角形のスライド係合部２４５Ｌ、２４５Ｒが形成される。
【０１５９】
スイッチ下端突部２５０は、スイッチ板部２４２の下端縁全域にわたって形成されたスイッチ下端幅方向突部２５２と、スイッチ板部２４２の下端縁の左右方向における略中央に形成された３つのスイッチ下端長手方向突部２５４とを有する。３つのスイッチ下端長手方向突部２５４それぞれは、その底面がスイッチ下端幅方向突部２５２の上面に当接する。３つのスイッチ下端長手方向突部２５４それぞれは、互いに左右方向において所定の距離だけ離れて形成される。３つのスイッチ下端長手方向突部２５４それぞれは、正面からみると略矩形状であり、側面から見るとその前端部に鋭角を有し、後端部の底面が直角に形成された略直角三角形である。なお、前端部の鋭角の先端は、その角部が切り落とされたように平板状に形成される。
【０１６０】
スイッチ上端突部２６０は、スイッチ板部２４２の上端縁全域にわたって形成されたスイッチ上端幅方向突部２６２と、スイッチ板部２４２の上端縁の左右方向における略中央に形成された３つのスイッチ上端長手方向突部２６４と、スイッチ板部２４２の上端縁の左端部および右端部に形成された二つのスイッチ上端長手方向突部２６４とを有する。すなわち、スイッチ上端長手方向突部２６４は、合計で５つ形成される。５つのスイッチ上端長手方向突部２６４それぞれは、その上面がスイッチ上端幅方向突部２６２の底面に接続される。５つのスイッチ上端長手方向突部２６４それぞれは、互いに左右方向において所定の距離だけ離れて形成される。５つのスイッチ上端長手方向突部２６４それぞれは、正面からみると略矩形状である。
【０１６１】
＜ダストボックス２１０について＞
図７７は、この発明の第３の実施の形態に係るパンチが備えるダストボックスを示す平面図である。図７８は、この発明の第３の実施の形態に係るパンチが備えるダストボックスを示す側面図である。図７９は、この発明の第３の実施の形態に係るパンチが備えるダストボックスを示す図７７のＬＸＸＩＸ−ＬＸＸＩＸ断面図である。
【０１６２】
ダストボックス２１０は、穿孔の際に生じる紙屑などを収納するためのものである。この実施の形態に係るダストボックス２１０は、可撓性を有する物質で形成される。ダストボックス２１０は、前後方向に延びるダストボックス底板２１２を有する。ダストボックス底板２１２には、その後方部に、厚み（すなわち、上下方向の寸法）が小さくなったヒンジ部２１４が形成される。
【０１６３】
ダストボックス底板２１２は、ヒンジ部２１４の前方部の厚み（すなわち、上下方向の寸法）が、その後方部分の厚みよりも小さく形成される。ダストボックス底板２１２のヒンジ部２１４の前方部には、その左端縁および右端縁から立ち上がる左側のダストボックス側板２１７Ｌ及び右側のダストボックス側板２１７Ｒが形成される。また、ダストボックス底板２１２の前端縁の近傍には、ダストボックス前板２１８が形成される。ダストボックス底板２１２の前端縁には、左方向に突出する嵌合凸部２１６Ｌと、右方向に突出する嵌合凸部２１６Ｒとが形成される。すなわち、ダストボックス２１０のヒンジ部２１４の前方部は、後方および上方が開放された中空の略直方体形状である。また、ダストボックス底板２１２のヒンジ部２１４の後方部には、上下方向に貫通する平面視略円形状の回転軸取付け孔２２２が形成される。
【０１６４】
＜付勢手段（バネ部材４１０）について＞
付勢手段としてのバネ部分４１０は、穿孔パンチ１００を穿孔時から常態時に戻すための付勢手段であるとともに、穿孔パンチ１００をハウジング２０に収納した状態から、穿孔するためにハウジング２０から穿孔パンチ１００を構成する第１の穿孔パンチ１００Ｌと第２の穿孔パンチ１００Ｒとを同時に、中央から両側に開くために旋回するための付勢手段である。
【０１６５】
図８０は、この発明の第３の実施の形態に係るパンチが備えるバネ部材の平面図である。図８１は、この発明の第３の実施の形態に係るパンチが備えるバネ部材の正面図である。付勢手段としてのバネ部材４１０は、主として、コイルばねで構成されており、コイルの軸方向にのびる主巻き部４１２と、主巻き部４１２の下端から軸方向と直交する方向にのびる下端延在部４１４と、主巻き部４１２の上端から軸方向と直交する方向であり、且つ下端延在部４１４とも直交する方向へと延びる上端延在部４１６とを有する。下端延在部４１４は、その寸法が、上端延在部４１６のそれよりも大きく形成される。主巻き部４１２、下端延在部４１４および上端延在部４１６は、弾性を有する鋼等の線材で一体的に形成される。
【０１６６】
＜他の構成要素について＞
この実施の形態に係る他の構成、すなわち、回転軸４００、留めリング４６０、支点シャフト４２０Ｆ、穿孔刃支持シャフト４２０Ｓ、および穿孔刃４５０は、上記した第１の実施の形態と同様であるため、ここでは説明を繰り返さない。
【０１６７】
＜組立て手順について＞
上記した構成要素により、この実施の形態に係るパンチ１０を組み立てる手順について説明する。
【０１６８】
まず、穿孔パンチ１００の土台１１０のレバー取付け部１３０に、下方の開放されたレバー１７０をかぶせるようにして嵌め込む。このとき、レバー取付け部１３０に形成された前後方向摺動切欠き１３８と、レバー１７０に形成された前側のシャフト取付け孔１８４との位置を合わせ、且つレバー取付け部１３０に形成された上下方向摺動切欠き１４９と、レバー１７０に形成された後側のシャフト取付け孔１８４との位置を合わせた状態にして嵌め込む。
【０１６９】
次に、左側のレバー側板１８２Ｌまたは右側のレバー側板１８２Ｒに形成された前側のシャフト取付け孔１８４に、雌シャフト４４０を挿入する。そして、雌シャフト４４０を挿入した左側のレバー側板１８２Ｌまたは右側のレバー側板１８２Ｒに対向した側の左側のレバー側板１８２Ｌまたは右側のレバー側板１８２Ｒに形成された前側のシャフト取付け孔１８４から、雄シャフト４３０を挿入する。このとき、雄シャフト４３０の雄主軸部４３４を、雌シャフト４４０に形成された雄シャフト嵌合穴４４６に嵌合するようにして、雄シャフト４３０を挿入する。
【０１７０】
次に、レバー取付け部１３０に形成された穿孔刃移動空間１５０に穿孔刃４５０を挿入する。このとき、穿孔刃４５０に形成されたシャフト取付け孔４５４と、レバー取付け部１３０に形成された左側の上下方向摺動受け部１４２Ｌ及び右側の上下方向摺動受け部１４２Ｒとが左右方向に連なるようにして、レバー取付け部１３０に形成された穿孔刃移動空間１５０に穿孔刃４５０を挿入する。そして、左側のレバー側板１８２Ｌまたは右側のレバー側板１８２Ｒに形成された後側のシャフト取付け孔１８４から、雌シャフト４４０を挿入する。
【０１７１】
このとき、雌シャフト４４０は、左側のレバー側板１８２Ｌまたは右側のレバー側板１８２Ｒに形成された後側のシャフト取付け孔１８４と、穿孔刃４５０に形成されたシャフト取付け孔４５４と、対向した側の左側のレバー側板１８２Ｌまたは右側のレバー側板１８２Ｒに形成された後側のシャフト取付け孔１８４とを通るようにして挿入される。したがって、雌シャフト４４０によって、穿孔刃４５０が上下方向に支持される。そして、雌シャフト４４０を挿入した左側のレバー側板１８２Ｌまたは右側のレバー側板１８２Ｒに対向する側の左側のレバー側板１８２Ｌまたは右側のレバー側板１８２Ｒに形成された後側のシャフト取付け孔１８４から、雄シャフト４３０を挿入する。このとき、雄シャフト４３０の雄主軸部４３４を、雌シャフト４４０に形成された雄シャフト嵌合穴４４６に嵌合するようにして、雄シャフト４３０を挿入する。
【０１７２】
上述のようにして、土台１１０に取り付けられたレバー１７０は、土台１１０の前後方向摺動切欠き１３８に取り付けられた支点シャフト４２０Ｆを略支点にして、上下方向と前後方向の交わる平面で回転する。このとき、レバー１７０は、土台１１０の上下方向摺動切欠き１４９に取り付けられた穿孔刃支持シャフト４２０Ｓが上下方向に移動するように回転する。具体的には、支点シャフト４２０Ｆが前後方向摺動切欠き１３８の内部を前後方向に摺動しながら、穿孔刃支持シャフト４２０Ｓが上下方向摺動切欠き１４９の内部を上下方向に摺動する。支点シャフト４２０Ｆは、穿孔刃支持シャフト４２０Ｓが下方向に移動するとき、前後方向摺動切欠き１３８の上壁に当接しながら前方向に摺動する。また、支点シャフト４２０Ｆは、穿孔刃支持シャフト４２０Ｓが上方向に移動するとき、前後方向摺動切欠き１３８の底壁に当接しながら後方向に摺動する。穿孔刃支持シャフト４２０Ｓの上下方向の摺動にともなって、穿孔刃４５０が穿孔刃移動空間１５０の内部を上下方向に移動する。穿孔刃４５０は、最も下方に移動したとき、その刃先がベース天部１１４に形成された穿孔用孔１１８にまで至る。したがって、穿孔刃４５０を上下方向に移動させることにより、ベース天部１１４に載置された被穿孔体Ｐに綴じ孔をあけることができる。また、穿孔の際に生じる紙屑などを下方に配設されるダストボックス２１０に落下させて収納することができる。
【０１７３】
ダストボックス２１０は、土台１１０の下方部分に取り付けられる。具体的には、ダストボックスの前端部に形成された嵌合突部２１６Ｌおよび２１６Ｒが土台１１０の前端部と嵌合する。ダストボックス２１０のヒンジ部２１４の後方部が、回転軸取付け部１６０の底面に形成された凹部１６２に嵌合される。このようにして、ダストボックス２１０のヒンジ部２１４の後方部分が、土台１１０の回転軸取付け部１６０の下方部に取り付けられる。
【０１７４】
上述したように、ダストボックス２１０が、土台１１０の下方部に取り付けられることにより、土台１１０のベース天板１１４に形成された穿孔用孔１１８の下方に、穿孔の際に生じる紙屑などを収納するための空間が形成される。また、ダストボックス２１０に形成された回転軸取付け孔２２２と、土台１１０に形成された回転軸取付け孔１６６とが上下方向に連なる。この連なった孔に、回転軸４００が通されて固定されることにより、ダストボックス２１０のヒンジ部２１４の後方部分が土台１１０に固定される。また、ダストボックス２１０に収納された紙屑などを取り除く際には、ダストボックス２１０のヒンジ部２１４の前方部を下方に撓ませる。このようにして、ダストボックス２１０のヒンジ部２１４の前方部における土台１１０との嵌合を外し、ダストボックス２１０から紙屑などを取り除く。
【０１７５】
＜穿孔パンチ１００のハウジング２０への取付けについて＞
上述したように、土台１１０にレバー１７０を取付ける。また、土台１１０の下方からダストボックス２１０を取り付ける。次に、土台１１０の後端部である回転軸取付け部１６０およびダストボックス２１０のヒンジ部２１４の後方部分を、ハウジング２０の底板３０と台座５２の間に挿入する。このとき、底板３０に形成された回転軸取付け孔３２と、ダストボックス２１０に形成された回転軸取付け孔２２２と、土台１１０に形成された回転軸取付け孔１６６と、台座５２に形成された回転軸取付け孔５４とが上下方向に連なるようにして挿入する。そして、この上下方向に連なった回転軸取付け孔３２，回転軸取付け孔２２２，回転軸取付け孔１６６及び回転軸取付け孔５４に回転軸４００の回転主軸部４０４を挿入する。このように回転軸４００が挿入されると、回転主軸部４０４は、その先端が台座５２の上面よりも上方に位置するようになる。
【０１７６】
バネ部材４１０は、台座５２の上面に載置される。このとき、バネ部材４１０は、その主巻き部４１２のバネ軸孔４１８に、台座５２の上面からとび出た回転軸４００が通される。
【０１７７】
また、バネ部材４１０の下端延在部４１４は、ハウジング２０の背板６０に左右方向にのびて形成される下方位置決め部６４と、上方位置決め部６６との間に通されることにより、位置決めされる。また、バネ部材４１０の上端延在部４１６は、レバー側板１８２Ｌの内壁にはりつくように配設される。最後に、留めリング４６０を、回転軸４００の台座５２の上面からとび出た部分に取り付けて、回転軸４００を位置決めする。具体的には、留めリング４６０を、その挿入切欠き部４６２から、回転軸４００の周方向凹部４０６に挿入し、その軸留め切欠き部４６４を、回転軸４００の周方向凹部４０６に嵌合することにより、回転軸４００を位置決めする。上述のようにして、ハウジング２０の左側の側板１００Ｌの近傍に第１の穿孔パンチ１００Ｌを取り付ける。また、ハウジング２０の右側の側板１００Ｒの近傍に第１の穿孔パンチ１００Ｌを取り付ける。このようにして、ハウジング２０に取り付けられた左側の第１の穿孔パンチ１００Ｌ及び右側の第２の穿孔パンチ１００Ｒそれぞれは、ハウジング２０に回転可能に支持される。このとき、左側の回転軸４００Ｌおよび右側の回転軸４００Ｒは、第１の回転軸として作用する。また、このとき、左側のレバー１７０Ｌ及び右側のレバー１７０Ｒそれぞれは、その後端部が、ハウジング２０の天板８０に形成された左側の切欠部８８Ｌ及び右側の切欠部８８Ｒを上下方向に通るように配設される。
【０１７８】
上述のようにして、ハウジング２０の左側の側板１００Ｌの近傍に穿孔パンチ１００Ｌを取り付ける。また、同様の手順で、ハウジング２０の右側の側板１００Ｒの近傍に穿孔パンチ１００Ｌを取り付ける。
【０１７９】
ハンドル３００は、左側のハンドル突部３８０Ｌ及び右側のハンドル突部３８０Ｒそれぞれが内径方向に撓みながら、左側のレバー１７０Ｌ及び右側のレバー１７０Ｒに形成された左側のハンドル取付け部１７４Ｌ及び右側のハンドル取付け部１７４Ｒに挿入される。このようにして、ハンドル３００は、第１の穿孔パンチ１００Ｌ、第２の穿孔パンチ１００Ｒそれぞれを互いに接続するように、左側のレバー１７０Ｌ及び右側のレバー１７０Ｒに取り付けられる。
【０１８０】
このとき、ハンドル３００は、左側のレバー１７０Ｌ及び右側のレバー１７０Ｒそれぞれに回転可能に取り付けられる。第１の穿孔パンチ１００Ｌ及び第２の穿孔パンチ１００Ｒを接続するようにして一つのハンドル３００を取り付けることにより、ハンドル３００を略下方に押すだけで左側の第１の穿孔パンチ１００Ｌと右側の第２の穿孔パンチ１００Ｒとを同時に操作して、被穿孔体Ｐに綴じ孔をあけることができる。第１の穿孔パンチ１００Ｌ及び第２の穿孔パンチ１００Ｒそれぞれのハウジング２０に対する第１の回転軸としての左側の回転軸４００Ｌ及び右側の回転軸４００Ｒと、第１の穿孔パンチ１００Ｌ及び第２の穿孔パンチ１００Ｒそれぞれのハンドル３００に対する第２の回転軸としてのハンドル突部３８０（またはレバー１７０のハンドル取付け部１７４）とは、第１の穿孔パンチ１００Ｌ及び第２の穿孔パンチ１００Ｒが被穿孔体Ｐに綴じ孔をあけたとき、一直線状になる。
【０１８１】
スイッチ２４０は、ハウジング２０の背板６０の外壁から、ハウジング２０の背板６０に形成されたスイッチ取付け部７０に取り付けられる。具体的には、スイッチ下端突部２５０が、スイッチ取付け部７０の外壁から収納空間２２に通されて、ハウジング２０の底板３０に形成された舌状部３６に取り付けられる。このとき、３つのスイッチ下端長手方向突部２５４それぞれの底面が、舌状部先端３６ｂの上面に載置される。このようにして、スイッチ取付け部７０のスイッチ下端取付け部７４に、スイッチ下端突部２５０が取り付けられる。
【０１８２】
スイッチ板部２４２は、その前面が、スイッチ胴体取付け部７２の外壁に当接して上下方向にのびるように配設される。また、スイッチ上端突部２６２は、ハウジング２０の天板８０よりも上方に位置するように配設される。スイッチ２４０の左側のスライド突部２４４Ｌ及び右側のスライド突部２４４Ｒそれぞれは、スイッチ取付け部７０に上下方向にのびるように形成された左側のスリット７８Ｌ及び右側のスリット７８Ｒそれぞれに取り付けられる。このようにして、スイッチ２４０は、ハウジング２０に上下方向にスライド可能に取り付けられる。
【０１８３】
＜穿孔パンチ１００の収納状態について＞
図８２は、この発明の第３の実施の形態に係るパンチの穿孔パンチがハウジングに収納された状態を示す正面図である。図８３は、この発明の第３の実施の形態に係るパンチの穿孔パンチがハウジングに収納された状態を示す背面図である。
【０１８４】
穿孔パンチ１００は、ハウジング２０に回転可能に支持されることにより、ハウジング２０から引き出された状態と、ハウジング２０に収納された状態とを切り替えることができる。
【０１８５】
穿孔パンチ１００がハウジング２０の収納空間２２に収納された状態では、土台１１０のベース側部１２４Ｒの前方部に形成された嵌合凹部１２６Ｒと、ダストボックス２１０の前方部分の右側凹部とが連なることにより形成された被保持部２３０に、舌状部３６の上面３６ｉに突設された突部３８が係合する。このようにして、穿孔パンチ１００が、ハウジング２０の収納空間２２に保持される。
【０１８６】
＜穿孔パンチ１００をハウジング２０からの引き出す手順について＞
図８４は、この発明の第３の実施の形態に係るパンチの穿孔パンチがハウジングに収納された状態における左右方向に沿った断面図である。図８５は、この発明の第３の実施の形態に係るパンチの穿孔パンチがハウジングに収納された状態における左右方向に沿った断面図である。図８６は、この発明の第３の実施の形態に係るパンチの上下方向に沿った断面図であり、バネ部材および回転軸のハウジングへの取り付け態様を示す図である。図８７は、この発明の第３の実施の形態に係るパンチが備える穿孔パンチがハウジングに収納されて保持された状態を示す断面図である。図８８は、この発明の第３の実施の形態に係るパンチが備えるハウジングに収納されて保持された穿孔パンチを解除する様子を示す断面図である。
【０１８７】
スイッチ２４０の上端を押下することにより、穿孔パンチ１００がハウジング２０の収納空間２２に保持された状態を解除することができる。具体的には、スイッチ２４０の上端を押下すると、スイッチ下端長手方向突部２５４が、ハウジング２０に形成された舌状部３６の舌状部先端３６ｂを下方に撓ませる。こうすることにより、穿孔パンチ１００の底面に形成された被保持部２３０と、舌状部３６に突設された突部３８との係合がはずれる。
【０１８８】
ここで、ハウジング２０の収納空間２２に収納された穿孔パンチ１００は、バネ部材４１０により、常にハウジング２０の収納空間２２から外にとび出す方向に付勢されている。したがって、上述したように、スイッチ２１０の上端を押下することによって、穿孔パンチ１００の底面に形成された被保持部２３０と、舌状部３６に突設された突部３８との係合がはずれると、穿孔パンチ１００が、ハウジング２０の収納空間２２から外側にとび出し、ハウジング２０から引き出された状態となる。第１の穿孔パンチ１００Ｌと、第２の穿孔パンチ１００Ｒとは、ハウジング２０の中央から両側に開くように（すなわち、観音開きのように）、ハウジング２０の収納空間２２から回転してとび出す。このようにして、ハウジング２０の底板３０に形成された保持部３４、および穿孔パンチ１００に形成された被保持部２３０が、保持手段および解除手段として作用する。
【０１８９】
＜穿孔パンチ１００をハウジング２０に収納する手順について＞
つづいて、第１の穿孔パンチ１００Ｌ及び第２の穿孔パンチ１００Ｒを、ハウジング２０の手前側に引き出された状態から、ハウジング２０に収納された状態に切り替える手順について説明する。まず、左側のバネ部材４１０Ｌ及び右側のバネ部材４１０Ｒの略上方の付勢力に抗って、ハンドル３００を略下方に移動させる。このとき、土台１１０と、レバー１７０とが、互いに略平行に上下方向に重なった状態となるまでハンドル３００を略下方に移動させる。また、このとき、二つのレバー１７０それぞれの後方端部に突設されたハンドル取付け部１７４が、ハウジング２０の天板８０の前端辺に形成された左側の切欠部８８Ｌ及び右側の切欠部８８Ｒそれぞれを下方から上方に向けて貫通する。また、二つのレバー１７０それぞれに取り付けられたハンドル３００両端のハンドル突部３８０それぞれも、ハウジング２０の天板８０の前端辺に形成された左側の切欠部８８Ｌ及び右側の切欠部８８Ｒそれぞれを上方から下方に向けて貫通する。また、このとき、ハンドル３００に形成されたスイッチ上端挿入部３１２に、スイッチ２４２に形成されたスイッチ上端突部２６０が挿入される。また、このとき、レバー１７０の後端部と、土台１１０の後端部との間に、台座５２が挟まれた状態になる。また、このとき、ハンドル３００と、ハウジング２０の天板８０とが上下方向に重なった状態となる。このようにして、第１の穿孔パンチ１００Ｌ及び第２の穿孔パンチ１００Ｒそれぞれのハウジング２０に対する第１の回転軸としての左側の回転軸４００Ｌ及び右側の回転軸４００Ｒと、第１の穿孔パンチ１００Ｌ及び第２の穿孔パンチ１００Ｒそれぞれのハンドル３００に対する第２の回転軸としてのハンドル突部３８０（またはレバー１７０のハンドル取付け部１７４）とが、一直線状になる。
【０１９０】
そして、左側のバネ部材４１０Ｌ及び右側のバネ部材４１０Ｒの付勢力に抗って、第１の穿孔パンチ１００Ｌ及び第２の穿孔パンチ１００Ｒそれぞれをハウジング２０の左側の収納空間２２Ｌ及び右側の収納空間２２Ｒの方向に回転させて、第１の穿孔パンチ１００Ｌ及び第２の穿孔パンチ１００Ｒそれぞれの底面に形成された被保持部２３０と、ハウジング２０の底板３０に突設された左側の突部３８Ｌ及び右側の突部３８Ｒとを係合させることにより、第１の穿孔パンチ１００Ｌ及び第２の穿孔パンチ１００Ｒそれぞれをハウジング２０に保持させる。このようにして、第１の穿孔パンチ１００Ｌ及び第２の穿孔パンチ１００Ｒを、ハウジング２０の手前側に引き出された状態から、ハウジング２０に収納された状態に切り替える。
【０１９１】
なお、第１の穿孔パンチ１００Ｌおよび第２の穿孔パンチ１００Ｒそれぞれは、ハンドル３００が略下方に押下され、土台１１０とレバー１７０とが前後方向にのびるように略平行になった状態のときの外形が、ハウジング２０の収納空間２２Ｌ、２２Ｒと同じである。また、第１の穿孔パンチ１００Ｌおよび第２の穿孔パンチ１００Ｒそれぞれは、互いに同じ形状を有し、且つハウジング２０の収納空間２２Ｌ、２２Ｒそれぞれも互いに同じ形状を有する。したがって、第１の穿孔パンチ１００Ｌおよび第２の穿孔パンチ１００Ｒそれぞれがハウジング２０の収納空間２２Ｌ，２２Ｒに収納された状態のとき、パンチ１０はコンパクトな態様になる。
【０１９２】
＜まとめについて＞
この実施の形態に係るパンチ１０は、上記した第１の実施の形態に係るパンチ１０が備える効果に加えて、以下のような効果も有する。
【０１９３】
この実施の形態に係るハウジング２０の底板３０の後端縁およびその近傍のうち、舌状部３６（および舌状外縁孔４０）の後端縁に沿った部分には、底板３０の舌状部３６（および舌状外縁孔４０）の左側の部分と右側の部分とを一体的に接続するように、後端接触防止部４８が形成される。後端接触防止部４８を設けることにより、第１の穿孔パンチ１００Ｌ及び第２の穿孔パンチ１００Ｒをハウジング２０に収納された状態から引き出された状態に切り替えるとき、スイッチ２４０の上端部を押下する指と、ハウジング２０の底板３０の下側の指とがパンチ１０を挟持しても、舌状部３６にその底面から触れることがなくなる。これにより、舌状部３６がスイッチ２４０のスイッチ下端突部２５０にその上面から押されることにより下方へと撓むことを妨げることがなくなる。したがって、例えば、片手でも、第１の穿孔パンチ１００Ｌ及び第２の穿孔パンチ１００Ｒをハウジング２０に収納された状態から引き出された状態に切り替えることができる。以上の通りであるため、より容易且つ確実に前記した操作を行うことができる。
【０１９４】
さらに、この実施の形態に係るハウジング２０の台座５２Ｌ、５２Ｒには、その前端縁において上方に向けてバネ位置決め部５６が左右方向に延びて突設される。バネ位置決め部５６により、台座５２Ｌ、５２Ｒからバネ部材４１０が落下してしまうことを防止することができる。
【０１９５】
さらに、この実施の形態に係るハウジング２０の左側の側板５０Ｌの内壁５０ｓには、その前端縁において揺動抑制部５８Ｌが突設される。ハウジング２０から引き出された状態の第１の穿孔パンチ１００Ｌの土台１１０の左側（すなわち、ハウジング２０の外側）のベース側板１２４に、ハウジング２０の前端縁において揺動抑制部５８が当接することにより、引き出された状態の第１の穿孔パンチ１００Ｌの揺動を抑制することができる。なお、ハウジング２０の右側の側板５０Ｒにも揺動抑制部５８Ｒが突設されるため、第２の穿孔パンチ１００Ｒの揺動も同様に抑制することができる。
【０１９６】
この実施の形態に係るハウジング２０の背板６０の内壁に形成された位置決め部６２Ｌが有する下方位置決め部６４Ｌは、その前端縁の左右方向の略中央よりもやや左側板５０Ｌに近い部分に前方へと突出する左突起部５９Ｌを有する。この左突起部５９Ｌは、第１の穿孔パンチ１００Ｌがハウジング２０に収納されたとき、穿孔パンチ１００Ｌの土台１１０の内側リブ部１５９のうち、仕切り板２４に近い厚み（穿孔パンチ１００Ｌのハウジング２０に収納された状態における前後方向の寸法）が薄くなっている部分に当接する。
【０１９７】
第１の穿孔パンチ１００Ｌおよび第２の穿孔パンチ１００Ｒがハウジング２０から引き出された状態を平面視したとき、第１の穿孔パンチ１００Ｌは、その左側に外側リブ部１５８が形成され、その右側に厚みの薄くなった部分を有する内側リブ部１５９が形成される。一方、第２の穿孔パンチ１００Ｒは、その右側に外側リブ部１５８が形成され、その左側に厚みの薄くなった部分を有する内側リブ部１５９が形成される。すなわち、第１の穿孔パンチ１００Ｌは、仮に、右側の収納空間２２Ｒに取り付けて収納しようとしても、その一部が収納空間２２Ｒの前端縁よりも前方にはみ出した状態になってしまう。すなわち、ハウジング２０の左側の収納空間２２Ｌにのみ収納することができ、右側の収納空間２２Ｒには収納できない。同様に、第２の穿孔パンチ１００Ｒは、ハウジング２０の右側の収納空間２２Ｒにのみ収納することができ、左側の収納空間２２Ｌには収納できない。
【０１９８】
ここで、第１の穿孔パンチ１００Ｌおよび第２の穿孔パンチ１００Ｒそれぞれの土台１１０は、金型成形により成形されることが好ましい。土台１１０が成形用金型により成形される場合、金型により成形後にエジェクタピンを用いて成形用金型から押し出す工程を行う必要がある。このとき、土台１１０の表面には、エジェクタピンが当接した部分にその痕跡が形成されてしまう。したがって、この面に磨き処理を施す必要がある。このような磨き処理は通常手作業により行われるが、これにより、複数成形される土台１１０それぞれの磨かれた側の面の厚みにバラつきが生じてしまう。仮に、このような磨き処理によるバラつきが生じている面を、ハウジング２０から引き出された状態においてハウジング２０の揺動抑制部５８Ｌおよび揺動抑制部５８Ｒに当接するように取り付けてしまうと、ハウジング２０から引き出された状態の第１の穿孔パンチ１００Ｌおよび第２の穿孔パンチ１００Ｒの位置が定まらない。これにより、穿孔作業を正確に行うことができなくなってしまう。
【０１９９】
この実施の形態に係る第１の穿孔パンチ１００Ｌは、上記したように、ハウジング２０の左側の収納空間２２Ｌにのみ収納することができ、右側の収納空間２２Ｒには収納できず、同様に、第２の穿孔パンチ１００Ｒは、ハウジング２０の右側の収納空間２２Ｒにのみ収納することができ、左側の収納空間２２Ｌには収納できない。すなわち、土台１１０の外側面と内側面とがどちらになるかが一義的に定まる。これにより、金型成形を行う際に、内側リブ部１５９が形成される側の面にエジェクタピンを当接させるようにすることで、磨き処理によりバラつきが生じる面がハウジング２０の揺動抑制部５８Ｌおよび揺動抑制部５８Ｒに当接する側とは反対側になり、上記したような問題を解消することができる。
【０２００】
この実施の形態に係るハウジング２０の天板８０の上面の前端縁に突設された突部８２Ｌおよび８２Ｒの左右方向の寸法は、上記した第１の実施の形態に係るそれらよりも大きい。これにより、第１の穿孔パンチ１００Ｌおよび第２の穿孔パンチ１００Ｒをハウジング２０に収納する際、誤った手順で行われることを抑制することができる。ここで、ハウジング２０から引き出された状態の第１の穿孔パンチ１００Ｌおよび第２の穿孔パンチ１００Ｒをハウジング２０に収納する正しい手順は次の通りである。まず、ハンドル３００をバネ部材４１０の付勢力に抗って押下することにより、レバー１７０を土台１１０と略平行に重ね合わせる。そして、第１の穿孔パンチ１００Ｌおよび第２の穿孔パンチ１００Ｒをハウジング２０の側へと回転させることにより、ハウジング２０へと収納する。ここで、ハンドル３００を押下する前に、第１の穿孔パンチ１００Ｌおよび第２の穿孔パンチ１００Ｒをハウジング２０の側へと回転させようとすると、それぞれのレバー１７０が突部８２Ｌおよび突部８２Ｒに衝突する。これにより、誤った手順で収納作業が行われることを抑制することができる。この実施の形態に係るパンチ１０は、突部８２Ｌおよび突部８２Ｒが左右方向の十分な寸法を有することにより、前述した効果がより顕著となる。
【０２０１】
この実施の形態に係るレバー１７０は、そのレバー天板１７２の底面に、バネ誤配置防止板１８０が下方へと突設される。このバネ後配置防止板１８０により、バネ部材４１０の取付け位置を間違えることを防止することができる。なお、バネ誤配置防止板１８０の後端部が上記したように切り欠かれたようにして傾斜していることで、バネ部材４１０を所望の配設位置へと案内することができる。
【０２０２】
なお、上述した第１の実施の形態に係るパンチ１０では、付勢手段としての一つのバネ部材４１０が、穿孔パンチ１００のレバー１７０を略上方に付勢し、且つ穿孔パンチ１００をハウジング２０の収納空間２２から引き出す方向に付勢する場合について説明した。しかしながら、この場合に限られず、穿孔パンチ１００のレバー１７０を略上方に付勢するバネ部材４１０と、背板６０の内壁から突出するように別のバネ部材を配設し、この別のバネ部材が穿孔パンチ１００をハウジング２０の収納空間２２から引き出す方向に付勢するような構造としてもよい。
【０２０３】
なお、上述した第１および第２の実施の形態、ならびに第１〜第５の変形例に係るパンチ１０では、挟持手段がハウジング２０の天板８０である場合について説明したが、この場合に限られず、例えば、ハウジング２０に天板８０を設けず、背板６０の内壁から棒状の部材を前後方向にのびるように突設することにより、底板３０と協同して挟持手段として作用するような構造としてもよい。
【０２０４】
なお、上述した第１および第２の実施の形態、ならびに第１〜第５の変形例に係るパンチ１０では、付勢手段がバネ部材４１０である場合を説明したが、この場合に限られず、合成樹脂により形成されたゴムなどを付勢手段として用いてもよい。また、その他の付勢力を有する部材を付勢手段として用いてもよい。
【０２０５】
なお、上述した第１および第２の実施の形態、ならびに第１〜第５の変形例に係るパンチ１０では、２〜４つの穿孔パンチが配設される場合について説明したが、この場合に限られず、１つまたは５つ以上の穿孔パンチが配設されてもよい
【０２０６】
なお、第２の実施の形態に係るパンチ１０が備える穿孔パンチ１００をハウジング２０から引き出された状態に固定する構造（すなわち、突部摺動凹部５０２、穿孔パンチ固定部５２６および突部後端突部５４２）を、第１の実施の形態に係るパンチ１０が備えるようにしてもよい。
【０２０７】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【０２０８】
１０  パンチ
２０  ハウジング
２２  収納空間
２４  仕切り板
２８  切欠部
３０  底板
３２  回転軸取付け孔
３４  保持部
３６  舌状部
３６ａ  舌状部本体
３６ｂ  舌状部先端
３７  前後方向リブ部
３８  突部
４０  切欠部、舌状外縁孔
４２  矩形貫通孔部
４４  スリット部
４６  底板前端接続部
４８  後端接触防止部
５０  側板
５２  台座
５４  回転軸取付け孔
５６  バネ位置決め部
５８  揺動抑制部
５９  突起部
６０  背板
６２  位置決め部
６４  下方位置決め部
６６  上方位置決め部
７０  スイッチ取付け部
７２  スイッチ胴体取付け部
７４  スイッチ下端取付け部
７８  スリット
８０  天板
８２  突部
８８  切欠部
１００  穿孔パンチ
１１０  土台
１１２  ベース部
１１４  ベース天板
１１６  嵌合雄板
１１８  孔
１２４  ベース側板
１２６  嵌合凹部
１３０  レバー取付け部
１３２  前後方向摺動受け部
１３４  前後方向摺動受け底板
１３５  突部
１３６  前後方向摺動受け側板
１３８  前後方向摺動切欠き
１４２  上下方向摺動受け部
１４４  上下方向摺動受け前板
１４６  上下方向摺動受け背板
１４８  上下方向摺動受け側板
１４９  上下方向摺動切欠き
１５０  穿孔刃移動空間
１５２  根元接続部
１５４  根元接続底板
１５６  根元接続側板
１５８  外側リブ部
１５９  内側リブ部
１６０  回転軸取付け部
１６２  凹部
１６４  矩形穴
１６６  回転軸取付け孔
１７０  レバー
１７２  レバー天板
１７４  ハンドル取付け部
１７６  ハンドル取付け可撓部
１７８  ハンドル取付け軸孔
１８０  バネ誤配置防止板
１８２  レバー側板
１８４  シャフト取付け孔
１８８  レバー前板
１９２  レバー背板
２１０  ダストボックス
２１２  ダストボックス底板
２１４  ヒンジ部
２１６  嵌合凸部
２１７  ダストボックス側板
２１８  ダストボックス前板
２２０  ダストボックス仕切り板
２２２  回転軸取付け孔
２２８  嵌合雌部
２３０  被保持部
２４０  スイッチ
２４２  スイッチ板部
２４４  スライド突部
２４５  スライド係合部
２５０  スイッチ下端突部
２５２  スイッチ下端幅方向突部
２５４  スイッチ下端長手方向突部
２６０  スイッチ上端突部
２６２  スイッチ上端幅方向突部
２６４  スイッチ上端長手方向突部
３００  ハンドル
３１０  ハンドル天板
３１２  スイッチ上端挿入部
３３０  ハンドル側板
３５０  ハンドル前板
３７０  ハンドル背板
３８０  ハンドル突部
３８２  ハンドル突部軸孔
３８４  ハンドル切欠き部
３８６  突部
４００  回転軸
４０２  回転頭部
４０４  回転主軸部
４０６  周方向凹部
４１０  バネ部材
４１２  主巻き部
４１４  下端延在部
４１６  上端延在部
４１８  バネ軸孔
４２０Ｆ  支点シャフト
４２０Ｓ  穿孔刃支持シャフト
４３０  雄シャフト
４３２  雄頭部
４３４  雄主軸部
４４０  雌シャフト
４４２  雌頭部
４４４  雌主軸部
４４６  雄シャフト嵌合穴
４５０  穿孔刃
４５２  刃部
４５４  シャフト取付け孔
４６０  留めリング
４６２  挿入切欠き部
４６４  軸留め切欠き部
５０２  突部摺動凹部
５２２  プッシュ孔
５２４  シャフト頭嵌入部
５２６  穿孔パンチ固定部
５２８  穿孔パンチ固定舌状部
５３０  穿孔パンチ固定凹部
５４２  土台後端突部
５４４  土台バネ部材嵌入突部
５４６  土台バネ部材嵌入土台部
５４８  土台バネ部材嵌入先端部
５６４  レバーバネ部材嵌入突部
５６６  レバーバネ部材嵌入土台部
５６８  レバーバネ部材嵌入先端部
６００  等間隔用空間
【図１】
2016168667.tif 000003
【図２】
2016168667.tif 000004
【図３】
2016168667.tif 000005
【図４】
2016168667.tif 000006
【図５】
2016168667.tif 000007
【図６】
2016168667.tif 000008
【図７】
2016168667.tif 000009
【図８】
2016168667.tif 000010
【図９】
2016168667.tif 000011
【図１０】
2016168667.tif 000012
【図１１】
2016168667.tif 000013
【図１２】
2016168667.tif 000014
【図１３】
2016168667.tif 000015
【図１４】
2016168667.tif 000016
【図１５】
2016168667.tif 000017
【図１６】
2016168667.tif 000018
【図１７】
2016168667.tif 000019
【図１８】
2016168667.tif 000020
【図１９】
2016168667.tif 000021
【図２０】
2016168667.tif 000022
【図２１】
2016168667.tif 000023
【図２２】
2016168667.tif 000024
【図２３】
2016168667.tif 000025
【図２４】
2016168667.tif 000026
【図２５】
2016168667.tif 000027
【図２６】
2016168667.tif 000028
【図２７】
2016168667.tif 000029
【図２８】
2016168667.tif 000030
【図２９】
2016168667.tif 000031
【図３０】
2016168667.tif 000032
【図３１】
2016168667.tif 000033
【図３２】
2016168667.tif 000034
【図３３】
2016168667.tif 000035
【図３４】
2016168667.tif 000036
【図３５】
2016168667.tif 000037
【図３６】
2016168667.tif 000038
【図３７】
2016168667.tif 000039
【図３８】
2016168667.tif 000040
【図３９】
2016168667.tif 000041
【図４０】
2016168667.tif 000042
【図４１】
2016168667.tif 000043
【図４２】
2016168667.tif 000044
【図４３】
2016168667.tif 000045
【図４４】
2016168667.tif 000046
【図４５】
2016168667.tif 000047
【図４６】
2016168667.tif 000048
【図４７】
2016168667.tif 000049
【図４８】
2016168667.tif 000050
【図４９】
2016168667.tif 000051
【図５０】
2016168667.tif 000052
【図５１】
2016168667.tif 000053
【図５２】
2016168667.tif 000054
【図５３】
2016168667.tif 000055
【図５４】
2016168667.tif 000056
【図５５】
2016168667.tif 000057
【図５６】
2016168667.tif 000058
【図５７】
2016168667.tif 000059
【図５８】
2016168667.tif 000060
【図５９】
2016168667.tif 000061
【図６０】
2016168667.tif 000062
【図６１】
2016168667.tif 000063
【図６２】
2016168667.tif 000064
【図６３】
2016168667.tif 000065
【図６４】
2016168667.tif 000066
【図６５】
2016168667.tif 000067
【図６６】
2016168667.tif 000068
【図６７】
2016168667.tif 000069
【図６８】
2016168667.tif 000070
【図６９】
2016168667.tif 000071
【図７０】
2016168667.tif 000072
【図７１】
2016168667.tif 000073
【図７２】
2016168667.tif 000074
【図７３】
2016168667.tif 000075
【図７４】
2016168667.tif 000076
【図７５】
2016168667.tif 000077
【図７６】
2016168667.tif 000078
【図７７】
2016168667.tif 000079
【図７８】
2016168667.tif 000080
【図７９】
2016168667.tif 000081
【図８０】
2016168667.tif 000082
【図８１】
2016168667.tif 000083
【図８２】
2016168667.tif 000084
【図８３】
2016168667.tif 000085
【図８４】
2016168667.tif 000086
【図８５】
2016168667.tif 000087
【図８６】
2016168667.tif 000088
【図８７】
2016168667.tif 000089
【図８８】
2016168667.tif 000090